(57)【特許請求の範囲】
【請求項１】
少なくとも１つの画像キャプチャ・デバイスのために、キャプチャされるべき１つまたは複数の被写体に関連付けられたフォーカス設定データであって、前記少なくとも１つの画像キャプチャ・デバイスのフォーカス状態を制御するのに使用可能な前記フォーカス設定データを生成することと関係するシステムであって、
ａ．少なくとも１つの第１の位置特定可能な被写体の現在の位置に関連付けられた第１の位置データを生成するように構造化され、構成された少なくとも１つの第１の位置データ・ジェネレータと、
ｂ．前記少なくとも１つの画像キャプチャ・デバイスの現在の位置に関連付けられた第２の位置データを生成するように構造化され、構成された少なくとも１つの第２の位置データ・ジェネレータと、
ｃ．前記第１の位置特定可能な被写体と前記少なくとも１つの画像キャプチャ・デバイスのイメージャ・フォーカス・ポイントの間の現在の距離を計算するように構造化され、構成された少なくとも１つの距離計算器であって、前記第１の位置データおよび前記第２の位置データを使用して前記現在の距離を生成するように構成された少なくとも１つの距離計算器とを備え、
ｄ．前記少なくとも１つの第１の位置データ・ジェネレータは、前記第１の位置データをワイヤレスで通信するように構造化され、構成された少なくとも１つの第１のワイヤレス・コミュニケータを備え、
ｅ．前記少なくとも１つの距離計算器は、
ｉ．前記少なくとも１つの第１のワイヤレス・コミュニケータとワイヤレスで通信することによって前記第１の位置データを獲得するように構造化され、構成された少なくとも１つの第２のワイヤレス・コミュニケータと、
ｉｉ．前記少なくとも１つの画像キャプチャ・デバイスの前記フォーカス状態を制御する少なくとも１つの画像フォーカス・イフェクタに前記計算された距離を通信するように構造化され、構成された少なくとも１つの距離データ・コミュニケータとを備え、
ｆ．前記少なくとも１つの第１の位置データ・ジェネレータは、前記少なくとも１つの第１の位置データ・ジェネレータの動きと前記少なくとも１つの第１の位置特定可能な被写体の動きを物理的に結合するように構成された少なくとも１つの第１のモーション・カプラを備え、
ｇ．前記少なくとも１つの第２の位置データ・ジェネレータは、前記少なくとも１つの第２の位置データ・ジェネレータの動きと前記少なくとも１つの画像キャプチャ・デバイスの動きを物理的に結合するように構成された少なくとも１つの第２のモーション・カプラを備えるシステム。
【請求項２】
前記少なくとも１つの距離データ・コミュニケータは、前記計算された現在の距離を表示するように構成された少なくとも１つの距離データ・ディスプレイを備える請求項１に記載のシステム。
【請求項３】
前記少なくとも１つの画像キャプチャ・デバイスに隣接して前記少なくとも１つの距離データ・ディスプレイを支持するように構造化され、構成された少なくとも１つの距離ディスプレイ・サポータをさらに備える請求項２に記載のシステム。
【請求項４】
ａ．前記少なくとも１つの第１の位置データ・ジェネレータは、前記第１の位置が導出可能である少なくとも１つの第１の無線信号をワイヤレスで送信するように構造化され、構成された少なくとも１つの無線周波数ＩＤ（ＲＦＩＤ）タグを備え、
ｂ．前記少なくとも１つの第２の位置データ・ジェネレータは、前記少なくとも１つの第１の無線信号を受信するように構造化され、構成された少なくとも１つのＲＦＩＤ信号受信器を備える請求項１に記載のシステム。
【請求項５】
ａ．前記少なくとも１つの第１の位置データ・ジェネレータは、
ｉ．前記少なくとも１つの第１の位置特定可能な被写体の現在の位置に関連付けられたＧＰＳ信号データを受信するように構造化され、構成された少なくとも１つの第１の全地球測位システム（ＧＰＳ）受信器と、
ｉｉ．前記ＧＰＳ信号データを処理して、前記第１の位置データを形成するように構造化され、構成された少なくとも１つの第１のＧＰＳ信号データ・プロセッサと、
ｉｉｉ．前記第１の位置データをワイヤレスで送信するように構造化され、構成された少なくとも１つの第１のワイヤレス送信機とを備え、
ｂ．前記少なくとも１つの第２の位置データ・ジェネレータは、前記少なくとも１つの画像キャプチャ・デバイスの現在の位置に関連付けられたＧＰＳ信号データを受信するように構造化され、構成された少なくとも１つの第２のＧＰＳ受信器を備え、
ｃ．前記少なくとも１つの距離計算器は、前記第１の位置データをワイヤレスで受信するように構造化され、構成された少なくとも１つのワイヤレス・データ受信器を備える請求項１に記載のシステム。
【請求項６】
前記少なくとも１つの画像キャプチャ・デバイス内で、キャプチャされるべき前記被写体の前記撮像に適切なフォーカス状態を確立するのを支援するように前記少なくとも１つの画像キャプチャ・デバイスの少なくとも１つのフォーカス・リングを操作するように構造化され、構成された少なくとも１つのフォロー・フォーカス・デバイスをさらに備える請求項３に記載のシステム。
【請求項７】
前記少なくとも１つの距離ディスプレイ・サポータは、前記少なくとも１つのフォロー・フォーカス・デバイスから前記少なくとも１つの距離データ・ディスプレイをサポートするように構成される請求項６に記載のシステム。
【請求項８】
前記少なくとも１つの距離計算器は、前記少なくとも１つの画像キャプチャ・デバイスの少なくとも１つの現在の画像フォーカス構成を獲得するように構造化され、構成された少なくとも１つのフォーカス設定獲得構成要素を備える請求項１に記載のシステム。
【請求項９】
前記少なくとも１つの距離計算器は、前記少なくとも１つの画像キャプチャ・デバイスの前記少なくとも１つの現在の画像フォーカス構成を表示するように構造化され、構成された少なくとも１つのフォーカス設定ディスプレイをさらに備える請求項８に記載のシステム。
【請求項１０】
前記少なくとも１つのフォーカス設定獲得構成要素は、現在のレンズＦストップ設定および現在のレンズ焦点距離から基本的に成るグループから選択された少なくとも１つの現在の画像フォーカス構成を獲得するように構成される請求項８に記載のシステム。
【請求項１１】
前記少なくとも１つの距離計算器は、
ａ．前記少なくとも１つの画像キャプチャ・デバイスの少なくとも１つのハードウェア構成に関連付けられたデータ・エントリをそれぞれが備える複数のキャリブレーション・レコードを記憶するように構造化され、構成されたストレージ・メモリと、
ｂ．前記複数の保存されたキャリブレーション・レコードのうちの選択された１つをユーザが取り出すのを支援するように構造化され、構成された少なくとも１つのキャリブレーション・ユーザ・インターフェースとをさらに備え、
ｃ．前記キャリブレーション・レコードの各レコードは、
ｉ．レンズＦストップ範囲、
ｉｉ．レンズ焦点距離範囲、および
ｉｉｉ．レンズ・フォーカス調整範囲から基本的に成るグループから選択された少なくとも１つのデータ・エントリを包含し、
ｄ．前記キャリブレーション・レコードは、前記少なくとも１つの画像キャプチャ・デバイスのフォーカス状態を制御するように前記少なくとも１つの画像フォーカス・イフェクタによって使用可能である請求項１に記載のシステム。
【請求項１２】
ａ．前記少なくとも１つの距離計算器は、前記少なくとも１つの第１の被写体に関する少なくとも１つの第１のフォーカス設定プロファイルを生成するように構造化され、構成された少なくとも１つの被写体プロファイル・ジェネレータをさらに備え、
ｂ．前記少なくとも１つの被写体プロファイル・ジェネレータは、前記第１の位置データ、前記第２の位置データ、および前記少なくとも１つの現在の画像フォーカス構成を使用して前記少なくとも１つの第１のフォーカス設定プロファイルを生成し、
ｃ．前記生成された少なくとも１つの第１のフォーカス設定プロファイルは、前記少なくとも１つの画像キャプチャ・デバイスのフォーカス状態を制御するように前記少なくとも１つの画像フォーカス・イフェクタによって使用可能である請求項１に記載のシステム。
【請求項１３】
ａ．前記少なくとも１つの画像フォーカス・イフェクタは、前記少なくとも１つの画像キャプチャ・デバイスのフォーカス・リングを自動的に操作するように構造化され、構成された少なくとも１つのサーボモータ駆動のフォロー・フォーカス・デバイスを備え、
ｂ．前記少なくとも１つの画像フォーカス・イフェクタは、前記少なくとも１つの画像キャプチャ・デバイス内で、前記生成された少なくとも１つの第１のフォーカス設定プロファイルに応答して、キャプチャされるべき前記被写体の前記撮像に適切なフォーカス状態を確立するのを支援するように構成される請求項１２に記載のシステム。
【請求項１４】
前記少なくとも１つのサーボモータ駆動のフォロー・フォーカス・デバイスは、
ａ．前記フォーカス状態の手動調整を可能にするように構成された少なくとも１つの手動で操作されるフォーカス・コントロールと、
ｂ．手動調整入力を検出するように構造化され、構成された少なくとも１つの手動操作検出器と、
ｃ．前記少なくとも１つの手動で操作されるフォーカス・コントロールの少なくとも１つの手動操作が検出されると、前記少なくとも１つのサーボモータ駆動のフォロー・フォーカス・デバイスの自動動作をオーバライドする少なくとも１つのサーボモータ・オーバライドとをさらに備える請求項１３に記載のシステム。
【請求項１５】
前記少なくとも１つの距離計算器は、
ａ．複数の位置特定可能な被写体を備えるセットの１つの位置特定可能な被写体を各データ・エントリが識別する少なくとも１つのマルチ被写体データ・セットと、
ｂ．前記少なくとも１つのマルチ被写体データ・セットの前記各データ・エントリに関して少なくとも１つのフォーカス設定プロファイルを生成するように構造化され、構成された少なくとも１つの被写体プロファイル・ジェネレータと、
ｃ．前記少なくとも１つのマルチ被写体データ・セットの少なくとも１つの前記データ・エントリをユーザが選択することを可能にするように構造化され、構成された少なくとも１つの位置特定可能な被写体セレクタとをさらに備え、
ｄ．それぞれの選択された前記少なくとも１つのフォーカス設定プロファイルは、前記少なくとも１つの画像キャプチャ・デバイスのフォーカス状態を制御するように前記少なくとも１つの画像フォーカス・イフェクタによって使用可能である請求項１に記載のシステム。
【請求項１６】
前記少なくとも１つの距離計算器は、前記少なくとも１つの位置特定可能な被写体に関して生成された前記少なくとも１つの第１のフォーカス設定プロファイルと前記少なくとも１つの他の位置特定可能な被写体に関して生成された少なくとも１つの他のフォーカス設定プロファイルの間で前記少なくとも１つの画像キャプチャ・デバイスの前記フォーカス状態を遷移させるように構造化され、構成された少なくとも１つの被写体フォーカス・トランジショナをさらに備える請求項１５に記載のシステム。
【請求項１７】
前記少なくとも１つの被写体フォーカス・トランジショナは、前記フォーカス状態の前記遷移の変化のレートをユーザが制御することを可能にするように構造化され、構成された少なくとも１つのユーザ遷移コントロールを備える請求項１６に記載のシステム。
【請求項１８】
前記少なくとも１つの距離計算器は、
ａ．ｉ．少なくとも１つのユーザ・インターフェースと、
ｉｉ．少なくとも１つのプロセッサと、
ｉｉｉ．メモリとを備える少なくとも１つのコンピューティング・デバイスと、
ｂ．前記メモリの中に記憶されて、前記少なくとも１つのプロセッサによって実行されるように構成され少なくとも１つのプログラムであって、
ｉ．前記少なくとも１つのユーザ・インターフェース上に少なくとも１つのメニューを表示するための命令であって、前記少なくとも１つのメニューは、少なくとも１つのユーザ選択可能なメニュー項目を備える命令と、
ｉｉ．前記少なくとも１つのユーザ選択可能なメニュー項目のうちの少なくとも１つに対応する少なくとも１つのユーザ入力を受け取るための命令とを備える少なくとも１つのプログラムとをさらに備える請求項１７に記載のシステム。
【請求項１９】
前記少なくとも１つのプログラムは、前記少なくとも１つの距離計算器が位置特定可能な被写体を自動的に探し求めるようにする命令をさらに備える請求項１８に記載のシステム。
【請求項２０】
前記少なくとも１つのユーザ・インターフェースは、少なくとも１つのタッチセンシティブ・ディスプレイを備える請求項１８に記載のシステム。
【請求項２１】
前記少なくとも１つのユーザ・インターフェースは、前記少なくとも１つの画像キャプチャ・デバイスによってキャプチャされた少なくとも１つの現在の画像を表示するように構成された少なくとも１つの現在の画像ウインドウを備える請求項１８に記載のシステム。
【請求項２２】
前記少なくとも１つのユーザ・インターフェースは、
ａ．前記少なくとも１つのキャリブレーション・ユーザ・インターフェースを可能にする少なくとも１つのユーザ選択可能なメニュー項目をさらに備え、
ｂ．前記少なくとも１つのキャリブレーション・ユーザ・インターフェースを可能にする前記少なくとも１つのユーザ選択可能なメニュー項目は、前記少なくとも１つの画像キャプチャ・デバイスの少なくとも１つのハードウェア構成の手動入力を可能にする少なくとも１つの少なくとも１つのユーザ選択可能なメニュー項目を備える請求項１８に記載のシステム。
【請求項２３】
前記少なくとも１つのユーザ・インターフェースは、前記第１の位置データと前記第２の位置データのうちの少なくとも１つのユーザ主導の獲得を可能にする少なくとも１つのユーザ選択可能なメニュー項目をさらに備える請求項１８に記載のシステム。
【請求項２４】
前記少なくとも１つのユーザ・インターフェースは、位置特定可能な被写体を少なくとも１つのユーザによって選択された名前にユーザが関連付けることを可能にする少なくとも１つのユーザ選択可能なメニュー項目をさらに備える請求項１８に記載のシステム。
【請求項２５】
前記少なくとも１つのユーザ・インターフェースは、前記少なくとも１つの被写体フォーカス・トランジショナの動作を可能にする少なくとも１つのユーザ選択可能なメニュー項目をさらに備える請求項１８に記載のシステム。
【請求項２６】
前記少なくとも１つのユーザ・インターフェースは、前記少なくとも１つのユーザ遷移コントロールの動作を可能にする少なくとも１つのユーザ選択可能なメニュー項目をさらに備える請求項２５に記載のシステム。
【請求項２７】
前記少なくとも１つのコンピューティング・デバイスは、少なくとも１つのポータブル・コンピューティング・デバイスを備える請求項１に記載のシステム。
【請求項２８】
システム内で動作する複数の画像キャプチャ・デバイスを制御するように構造化され、構成された少なくとも１つのシステム・コントローラをさらに備える請求項２７に記載のシステム。
【請求項２９】
前記少なくとも１つの画像キャプチャ・デバイスがビデオ・カメラである請求項１に記載のシステム。
【請求項３０】
ａ．前記少なくとも１つの第１の位置データ・ジェネレータは、前記第１の位置データが導出可能である少なくとも１つの第１の無線信号をワイヤレスで送信するように構造化され、構成された少なくとも１つの超広帯域タグを備え、
ｂ．前記少なくとも１つの第２の位置データ・ジェネレータは、前記少なくとも１つの第１の無線信号を受信するように構造化され、構成された少なくとも１つの超広帯域受信器を備える請求項１に記載のシステム。
【請求項３１】
少なくとも１つの画像キャプチャ・デバイスのために、キャプチャされるべき１つまたは複数の被写体に関連付けられたフォーカス設定データを生成することと関係するシステムであって、前記フォーカス設定データは、前記少なくとも１つの画像キャプチャ・デバイスのフォーカス状態を制御するように使用可能であり、前記システムは、
ａ．前記少なくとも１つのロケータ・タグに関連付けられたタグ付けされた被写体の現在の位置に関連付けられた第１の位置データを生成するように構造化され、構成された少なくとも１つのロケータ・タグと、
ｂ．前記少なくとも１つの画像キャプチャ・デバイスの現在の位置に関連付けられた第２の位置データを生成するように構造化され、構成された少なくとも１つの画像デバイス・ロケータと、
ｃ．前記位置特定可能な被写体と前記少なくとも１つの画像キャプチャ・デバイスのイメージャ・フォーカス・ポイントの間の現在の距離を計算するように構造化され、構成された少なくとも１つのコンピューティング・デバイスであって、前記少なくとも１つの距離計算器は、前記第１の位置データ、および前記第２の位置データを使用して前記現在の距離を生成するように構成される少なくとも１つのコンピューティング・デバイスと、
ｄ．前記計算された現在の距離を表示するように構成された少なくとも１つの距離データ・ディスプレイと、
ｅ．前記少なくとも１つの画像キャプチャ・デバイス内で、キャプチャされるべき被写体の撮像に適切なフォーカス状態を確立するのを支援するように前記少なくとも１つの画像キャプチャ・デバイスの少なくとも１つのフォーカス・リングを操作するように構造化され、構成された少なくとも１つのフォロー・フォーカス・デバイスとを備え、
ｆ．前記少なくとも１つのロケータ・タグは、前記第１の位置データをワイヤレスで通信するように構造化され、構成された少なくとも１つの第１のワイヤレス・コミュニケータを備え、
ｇ．前記少なくとも１つのコンピューティング・デバイスは、前記少なくとも１つの第１のワイヤレス・コミュニケータとワイヤレスで通信することによって第１の位置データを獲得するように構造化され、構成された少なくとも１つの第２のワイヤレス・コミュニケータを備え、
ｈ．前記少なくとも１つの距離データ・ディスプレイは、前記少なくとも１つのフォロー・フォーカス・デバイスに隣接して前記少なくとも１つの距離データ・ディスプレイを取り付けるのを支援するように構造化され、構成された少なくとも１つのディスプレイ・マウントを備える、システム。
【請求項３２】
前記少なくとも１つのディスプレイ・マウントは、前記少なくとも１つのフォロー・フォーカス・デバイスに隣接して前記少なくとも１つのコンピューティング・デバイスを取り付けるのを支援するように構造化され、構成された少なくとも１つのコンピューティング・デバイス・マウントを備える請求項３１に記載のシステム。
【請求項３３】
ａ．前記少なくとも１つの画像キャプチャ・デバイスの少なくとも１つの現在の画像フォーカス構成を獲得するように構造化され、構成された少なくとも１つのフォーカス設定獲得構成要素と、
ｂ．前記少なくとも１つの画像キャプチャ・デバイスの前記少なくとも１つの現在の画像フォーカス構成を表示するように構造化され、構成された少なくとも１つのフォーカス設定ディスプレイとをさらに備える請求項３２に記載のシステム。
【請求項３４】
前記少なくとも１つのコンピューティング・デバイスは、それぞれの前記タグ付けされた被写体に関して少なくとも１つのフォーカス設定プロファイルを生成するように構造化され、構成された少なくとも１つの被写体プロファイル・ジェネレータを備えるシステムであって、
ａ．前記少なくとも１つの被写体プロファイル・ジェネレータは、前記第１の位置データ、前記第２の位置データ、および前記少なくとも１つの現在の画像フォーカス構成を使用して前記少なくとも１つのフォーカス設定プロファイルを生成し、
ｂ．前記生成された少なくとも１つのフォーカス設定プロファイルのそれぞれが、前記少なくとも１つの画像キャプチャ・デバイスのフォーカス状態を制御するように使用可能である請求項３３に記載のシステム。
【請求項３５】
ａ．前記少なくとも１つの画像キャプチャ・デバイスのフォーカス・リングを自動的に操作するように構造化され、構成された少なくとも１つのサーボモータ駆動のフォロー・フォーカス・デバイスをさらに備えるシステムであって、
ｂ．少なくとも１つのサーボモータ駆動のフォロー・フォーカス・デバイスは、前記少なくとも１つのコンピューティング・デバイスによって制御され、
ｃ．前記少なくとも１つのサーボモータ駆動のフォロー・フォーカス・デバイスは、前記少なくとも１つの画像キャプチャ・デバイス内で、キャプチャされるべき前記被写体の撮像に適切なフォーカス状態を確立するのを支援するように構成される請求項３４に記載のシステム。
【請求項３６】
前記少なくとも１つのコンピューティング・デバイスは、
ａ．少なくとも１つのユーザ・インターフェースと、
ｂ．少なくとも１つのプロセッサと、
ｃ．メモリと、
ｄ．少なくとも１つのプログラムとをさらに備え、前記少なくとも１つのプログラムは、前記メモリの中に記憶されて、前記少なくとも１つのプロセッサによって実行されるように構成され、前記少なくとも１つのプログラムは、
ｉ．前記少なくとも１つのユーザ・インターフェース上に少なくとも１つのメニューを表示するための命令であって、前記少なくとも１つのメニューは、少なくとも１つのユーザ選択可能なメニュー項目を備える命令と、
ｉｉ．前記少なくとも１つのユーザ選択可能なメニュー項目のうちの少なくとも１つに対応する少なくとも１つのユーザ入力を受け取るための命令とを備える請求項３５に記載のシステム。
【請求項３７】
前記少なくとも１つのユーザ・インターフェースは、少なくとも１つのタッチセンシティブ・ディスプレイを備える請求項３６に記載のシステム。
【請求項３８】
前記少なくとも１つのコンピューティング・デバイスは、前記少なくとも１つのサーボモータ駆動のフォロー・フォーカス・デバイスとワイヤレスで通信する請求項３６に記載のシステム。
【請求項３９】
少なくとも１つの画像キャプチャ・デバイスのために、前記少なくとも１つの画像キャプチャ・デバイスのフォーカス状態を制御するのに使用可能な、キャプチャされるべき１つまたは複数の被写体に関連付けられたフォーカス設定データを生成することと関係する方法であって、前記方法は、
ａ．少なくとも１つのロケータ・タグに関連付けられたタグ付けされた被写体の現在の位置に関連付けられた第１の位置データを生成するように構造化され、構成された少なくとも１つのロケータ・タグを提供するステップと、
ｂ．前記少なくとも１つの画像キャプチャ・デバイスの現在の位置に関連付けられた第２の位置データを生成するように構造化され、構成された少なくとも１つの画像デバイス・ロケータを提供するステップと、
ｃ．前記位置特定可能な被写体と前記少なくとも１つの画像キャプチャ・デバイスのイメージャ・フォーカス・ポイントの間の現在の距離を計算するように構造化され、構成された少なくとも１つのコンピューティング・デバイスを提供するステップと、
ｄ．前記第１の位置データ、および前記第２の位置データを使用して前記現在の距離を生成するステップと、
ｅ．計算された現在の距離を表示するように構成された少なくとも１つの距離データ・ディスプレイを提供するステップと、
ｆ．前記少なくとも１つの画像キャプチャ・デバイス内で、キャプチャされるべき前記被写体の撮像に適切なフォーカス状態を確立するのを支援するように前記少なくとも１つの画像キャプチャ・デバイスの少なくとも１つのフォーカス・リングを操作するように構造化され、構成された少なくとも１つのフォロー・フォーカス・デバイスを提供するステップと、
ｇ．表示された前記計算された現在の距離に応答して前記少なくとも１つの画像キャプチャの前記少なくとも１つのフォーカス・リングを操作するステップとを備え、
ｈ．前記少なくとも１つのロケータ・タグは、前記第１の位置データをワイヤレスで通信するように構造化され、構成された少なくとも１つの第１のワイヤレス・コミュニケータを備え、
ｉ．前記少なくとも１つのコンピューティング・デバイスは、前記少なくとも１つの第１のワイヤレス・コミュニケータとワイヤレスで通信することによって前記第１の位置データを獲得するように構造化され、構成された少なくとも１つの第２のワイヤレス・コミュニケータを備え、
ｊ．前記少なくとも１つの距離データ・ディスプレイは、前記少なくとも１つのフォロー・フォーカス・デバイスに隣接して、前記少なくとも１つの距離データ・ディスプレイを取り付けるのを支援するように構造化され、構成された少なくとも１つのディスプレイ・マウントを備える、方法。
【請求項４０】
少なくとも１つの画像キャプチャ・デバイスのために、キャプチャされるべき１つまたは複数の被写体に関連付けられ、前記少なくとも１つの画像キャプチャ・デバイスのフォーカス状態を制御するのに使用可能な前記フォーカス設定データを生成することと関係するシステムであって、
ａ．少なくとも１つの第１の位置特定可能な被写体の現在の位置に関連付けられた第１の位置データを生成するように構造化され、構成された少なくとも１つの第１の位置データ・ジェネレータと、
ｂ．前記少なくとも１つの画像キャプチャ・デバイスの現在の位置に関連付けられた第２の位置データを生成するように構造化され、構成された少なくとも１つの第２の位置データ・ジェネレータと、
ｃ．前記第１の位置特定可能な被写体と前記少なくとも１つの画像キャプチャ・デバイスのイメージャ・フォーカス・ポイントの間の現在の距離を計算するように構造化され、構成された少なくとも１つの距離計算器であって、前記第１の位置データおよび前記第２の位置データを使用して前記現在の距離を生成するように構成された少なくとも１つの距離計算器とを備え、
ｄ．前記少なくとも１つの第１の位置データ・ジェネレータは、前記第１の位置データをワイヤレスで通信するように構造化され、構成された少なくとも１つの第１のワイヤレス・コミュニケータを備え、
ｅ．前記少なくとも１つの距離計算器は、
ｉ．前記少なくとも１つの第１のワイヤレス・コミュニケータとワイヤレスで通信することによって前記第１の位置データを獲得するように構造化され、構成された少なくとも１つの第２のワイヤレス・コミュニケータと、
ｉｉ．前記少なくとも１つの画像キャプチャ・デバイスの前記フォーカス状態を制御する少なくとも１つの画像フォーカス・イフェクタに前記計算された距離を通信するように構造化され、構成された少なくとも１つの距離データ・コミュニケータと、
ｉｉｉ．少なくとも１つのマルチ被写体データ・セットであって、前記少なくとも１つのマルチ被写体データ・セットの各データ・エントリは複数の位置特定可能な被写体を含むセットのうち１つの位置特定可能な被写体を識別する、少なくとも１つのマルチ被写体データ・セットと、
ｉｖ．前記少なくとも１つのマルチ被写体データ・セットの前記各データ・エントリについて少なくとも１つのフォーカス設定プロファイルを生成するように構造化され、構成された少なくとも１つの被写体プロファイル・ジェネレータと、
ｖ．少なくとも１つのマルチ被写体データ・セットの少なくとも１つのデータ・エントリのユーザ選択を可能にするように構造化され、構成された少なくとも１つの位置特定可能な被写体セレクタと、
ｖｉ．前記少なくとも１つのフォーカス設定プロファイルは、前記少なくとも１つの画像フォーカス・イフェクタによって使用可能であり、前記少なくとも１つの画像キャプチャ・デバイスの前記フォーカス状態を制御し、
ｖｉｉ．前記少なくとも１つの画像キャプチャ・デバイスの少なくとも１つのハードウェア構成に関連するデータ・エントリをそれぞれ含む複数のキャリブレーション・レコードを記憶するように構造化され、構成されたストレージ・メモリと、
ｖｉｉｉ．保存された複数のキャリブレーション・レコードのうちの選択された１つのユーザ検索を支援するように構造化され、構成された少なくとも１つのキャリブレーション・ユーザ・インターフェースと、
ｉｘ．前記キャリブレーション・レコードの各々は、
ａ．レンズＦストップ範囲と、
ｂ．レンズ焦点距離範囲と、
ｃ．レンズ・フォーカス調整範囲と
から基本的に成る群から選択された少なくとも１つのデータ・エントリを含み、
ｘ．前記キャリブレーション・レコードは、前記少なくとも１つの画像キャプチャ・デバイスのフォーカス状態を制御するために、前記少なくとも１つの画像フォーカス・イフェクタによって使用可能である、システム。
【請求項４１】
少なくとも１つの画像キャプチャ・デバイスのために、キャプチャされるべき１つまたは複数の被写体に関連付けられ、前記少なくとも１つの画像キャプチャ・デバイスのフォーカス状態を制御するのに使用可能な前記フォーカス設定データを生成することと関係するシステムであって、
ａ．少なくとも１つのロケータ・タグに関連付けられたタグ付き被写体の現在の位置に関連付けられた第１の位置データを生成するように構造化され、構成された少なくとも１つのロケータ・タグと、
ｂ．少なくとも１つの画像キャプチャ・デバイスの現在の位置に関連付けられた第２の位置データを生成するように構造化され、構成された少なくとも１つの画像デバイス・ロケータと、
ｃ．位置特定可能な被写体と少なくとも１つの画像キャプチャ・デバイスのイメージャ・フォーカス・ポイントの間の現在の距離を計算するように構造化され、構成された少なくとも１つのコンピューティング・デバイスであって、前記少なくとも１つの距離計算器は、第１の位置データと前記第２の位置データを使用して現在の距離を生成するように構成されている、コンピューティング・デバイスと、
ｄ．計算された現在の距離を表示するように構成された少なくとも１つの距離データ・ディスプレイと、
ｅ．前記少なくとも１つの画像キャプチャ・デバイス内で、前記少なくとも１つの画像キャプチャ・デバイスの少なくとも１つのフォーカス・リングを操作するように構造化され、構成された少なくとも１つのフォロー・フォーカス・デバイスであって、キャプチャされるべき被写体の撮像に適切なフォーカス状態を確立するのを支援する、少なくとも１つのフォロー・フォーカス・デバイスと、を備え
ｆ．前記少なくとも１つのロケータ・タグは、前記第１の位置データを無線で通信するように構造化され、構成された少なくとも１つの第１のワイヤレス・コミュニケータを含み、
ｇ．前記少なくとも１つのコンピューティング・デバイスは、前記少なくとも１つの第１のワイヤレス・コミュニケータとワイヤレスで通信することによって前記第１の位置データを取得するように構造化され、構成された少なくとも１つの第２のワイヤレス・コミュニケータを備え、そして
ｈ．前記少なくとも１つの距離計算器は、さらに、
ｉ．少なくとも１つのマルチ被写体データ・セットであって、少なくとも１つのマルチ被写体データ・セットの各データ・エントリは、複数の位置特定可能な被写体を含むセットの１つの位置特定可能な被写体を識別する、少なくとも１つのマルチ被写体データ・セットと、
ｉｉ．前記少なくとも１つのマルチ被写体データ・セットの各データ・エントリに対して、少なくとも１つのフォーカス設定プロファイルを生成するように構造化され、構成された少なくとも１つの被写体プロファイル・ジェネレータと、
ｉｉｉ．前記少なくとも１つのマルチ被写体データ・セットの少なくとも１つのデータ・エントリのユーザ選択を可能にするように構造化され、構成された少なくとも１つの位置特定可能な被写体セレクタと、
ｉｖ．それぞれ選択された前記少なくとも１つのフォーカス設定プロファイルは、前記少なくとも１つの画像フォーカス・イフェクタによって使用可能であり、前記少なくとも１つの画像キャプチャ・デバイスの前記フォーカス状態を制御し、
ｖ．前記少なくとも１つの画像キャプチャ・デバイスの少なくとも１つのハードウェア構成に関連するデータ・エントリを各々が含む、複数のキャリブレーション・レコードを記憶するように構造化され、構成されたストレージ・メモリと、
ｖｉ．保存された複数のキャリブレーション・レコードのうちの選択された１つのユーザ検索を支援するように構造化され、構成された少なくとも１つのキャリブレーション・ユーザ・インターフェースと、を備え、
ｖｉｉ．前記キャリブレーション・レコードの各々は、
ａ．レンズＦストップ範囲と、
ｂ．レンズ焦点距離範囲と、
ｃ．レンズ・フォーカス調整範囲と
から基本的に成る群から選択された少なくとも１つのデータ・エントリを含み、
前記キャリブレーション・レコードは、前記少なくとも１つの画像キャプチャ・デバイスのフォーカス状態を制御するために、前記少なくとも１つの画像フォーカス・イフェクタによって使用可能である、システム。
【請求項４２】
少なくとも１つの画像キャプチャ・デバイスのために、キャプチャされるべき１つ又は複数の被写体に関連付けられ、前記少なくとも１つの画像キャプチャ・デバイスのフォーカス状態を制御するのに使用可能な前記フォーカス設定データを生成することと関係する方法であって、該方法は、
ａ．前記少なくとも１つのロケータ・タグに関連付けられたタグ付き被写体の現在位置に関連付けられた第１の位置データを生成するように構造化され、構成された少なくとも１つのロケータ・タグを提供するステップと、
ｂ．前記少なくとも１つの画像キャプチャ・デバイスの現在位置に関連する第２の位置データを生成するように構造化され、構成された少なくとも１つの画像デバイス・ロケータを提供するステップと、
ｃ．前記位置特定可能な被写体と、前記少なくとも１つの画像キャプチャ・デバイスのイメージャ・フォーカス・ポイントとの間の現在の距離を計算するように構造化され、構成された少なくとも１つのコンピューティング・デバイスを提供するステップと、
ｄ．前記第１の位置データと前記第２の位置データを用いて前記現在の距離を生成するステップと、
ｅ．計算された現在の距離を表示するように構成された少なくとも１つの距離データ・ディスプレイを提供するステップと、
ｆ．前記少なくとも１つの画像キャプチャ・デバイス内で、キャプチャされるべき被写体の撮像に適切なフォーカス状態を確立するのを支援するように、前記少なくとも１つの画像キャプチャ・デバイスの少なくとも１つのフォーカス・リングを操作するように構造化され、構成された少なくとも１つのフォロー・フォーカス・デバイスを提供するステップと、
ｇ．表示された前記計算された現在の距離に応答して、前記少なくとも１つの画像キャプチャの前記少なくとも１つのフォーカス・リングを操作するステップと、
ｈ．前記少なくとも１つのロケータ・タグは、第１の位置データをワイヤレスで通信するように構造化され、構成された少なくとも１つの第１のワイヤレス・コミュニケータを含み、
ｉ．前記少なくとも１つのコンピューティング・デバイスは、前記少なくとも１つの第１のワイヤレス・コミュニケータとワイヤレスで通信することによって、前記第１の位置データを取得するように構造化され、構成された少なくとも１つの第２のワイヤレス・コミュニケータを備え、そして
ｊ．前記少なくとも１つの距離計算器は、さらに、
ａ．少なくとも１つのマルチ被写体データ・セットであって、前記少なくとも１つのマルチ被写体データ・セットの各データ・エントリは、複数の位置特定可能な被写体を含むセットのうち１つの位置特定可能な被写体を識別する、少なくとも１つのマルチ被写体データ・セットと、
ｂ．前記少なくとも１つのマルチ被写体データ・セットの各データ・エントリに対して少なくとも１つのフォーカス設定プロファイルを生成するように構造化され、構成された少なくとも１つの被写体プロファイル・ジェネレータと、
ｃ．前記少なくとも１つのマルチ被写体データ・セットの少なくとも１つのデータ・エントリのユーザ選択を可能にするように構造化され、構成された少なくとも１つの位置特定可能な被写体セレクタと、
ｄ．それぞれ選択された前記少なくとも１つのフォーカス設定プロファイルが、前記少なくとも１つの画像フォーカス・イフェクタによって使用可能であり、前記少なくとも１つの画像キャプチャ・デバイスの前記フォーカス状態を制御し、
ｅ．前記少なくとも１つの画像キャプチャ・デバイスの少なくとも１つのハードウェア構成に関連するデータ・エントリをそれぞれ含む複数のキャリブレーション・レコードを記憶するように構造化され、構成された記憶メモリと、
ｆ． 保存された複数のキャリブレーション・レコードのうちの選択された１つのユーザ検索を支援するように構造化され、構成された少なくとも１つのキャリブレーション・ユーザ・インターフェースと、を備え、
ｇ．前記キャリブレーション・レコードの各々は、
ｉ．レンズＦストップ範囲と、
ｂ．レンズ焦点距離範囲と、
ｃ．レンズ・フォーカス調整範囲と
から基本的に成る群から選択された少なくとも１つのデータ・エントリを含み、
ｈ． 前記キャリブレーション・レコードは、前記少なくとも１つの画像キャプチャ・デバイスのフォーカス状態を制御するために、前記少なくとも１つの画像フォーカス・イフェクタによって使用可能である、方法。
【発明の詳細な説明】
【技術分野】
【０００１】
[0001]開示される主題は、被写体位置タグを使用する改良されたカメラ・フォーカス・システムと関係するシステムを提供することに関する。より詳細には、開示される主題は、カメラと、位置ビーコンで「タグ付け」されている被写体の間の距離を測定することによって、被写体の連続的な自動化されたフォーカスを可能にするカメラ・アクセサリおよびインレンズ技術を備えるシステムを提供することに関する。
【背景技術】
【０００２】
[0002]画像フォーカスは、映画製作およびビデオ製作の最も重要な態様のうちの１つである。誤った画像フォーカスは、製作時間および製作費用に対する大きな影響をもたらし得る。不適切なフォーカス設定のために損なわれたキャプチャされた映像（footage）は、映画製作およびビデオ製作の過程において特に損害をもたらすものであり得る。焦点の合っていないショットまたはシーンは、製作チームによって使用不可能なものとして、しばしば、破棄される。残念ながら、そのような破棄される映像は、再撮影され得ない、またはそれ以外で再現され得ない１回限りの性質の題材を、しばしば、包含する。例えば、１回限りのスポーツ・イベント、結婚式などを、それらが行われた後に「再撮影する」ことは不可能である。
【０００３】
[0003]理想的なフォーカスを実現するのに、カメラのフォーカス・ポイントからの被写体の距離が測定されて、カメラのレンズのフォーカス設定に正確に適合させられなければならない。しばしば、シーンは、カメラ・フォーカスが、カメラの視界内のいくつかの被写体の間で移動することを要求する。さらに、カメラと被写体の間の距離は、台車またはジブに取り付けられたカメラの場合のように、または被写体が動いているシーンにおいて、動的であることが可能である。画像キャプチャのすべての態様の間に適切なカメラ・フォーカスを維持するのを支援する改良されたシステムが、この分野の多くの人々に多大な利益をもたらす。
【発明の概要】
【発明が解決しようとする課題】
【０００４】
[0004]本明細書で開示される主題の主要な目的および特徴は、前述した問題を克服するシステムを提供することである。
[0005]本明細書で開示される主題の別の目的および特徴は、カメラ・アクセサリおよび／またはインレンズ技術を使用し、カメラと位置ビーコンで「タグ付け」されている被写体の間の距離を測定することによって被写体の連続的な距離測定を可能にするような改良されたカメラ・フォーカス・システムを提供することである。
【０００５】
[0006]本明細書で開示される主題のさらなる目的および特徴は、カメラと位置ビーコンで「タグ付け」されている被写体の間の計算された距離を表示するような改良されたカメラ・フォーカス・システムを提供することである。
【０００６】
[0007]本明細書で開示される主題のさらなる目的および特徴は、カメラと位置ビーコンで「タグ付け」されている被写体の間の距離を測定することによって、被写体の連続的な自動化されたフォーカスを可能にするような改良されたカメラ・フォーカス・システムを提供することである。
【０００７】
[0008]本明細書で開示される主題のさらなる目的および特徴は、２つ以上の被写体の間のフォーカスの制御された遷移を可能にするような改良されたカメラ・フォーカス・システムを提供することである。
【０００８】
[0009]本明細書で開示される主題のさらなる目的および特徴は、手動で操作可能なフォロー・フォーカス・アクセサリを含むような改良されたカメラ・フォーカス・システムを提供することである。
【０００９】
[0010]本明細書で開示される主題のさらなる目的および特徴は、サーボ駆動のフロー・フォーカス・アクセサリを含むような改良されたカメラ・フォーカス・システムを提供することである。
【００１０】
[0011]本明細書で開示される主題の別の目的および特徴は、単一の操作者が、複数の被写体を撮像する複数のカメラのフォーカス状態を制御することを可能にするような改良されたカメラ・フォーカス・システムを提供することである。
【００１１】
[0012]本明細書で開示される主題のさらなる目的および特徴は、効率的で、安価で、役に立つようなシステムを提供することである。本明細書で開示される主題の他の目的および特徴は、後段の説明を参照することで明白となろう。
【課題を解決するための手段】
【００１２】
[0013]実施形態において、開示される主題は、少なくとも１つの画像キャプチャ・デバイスのために、キャプチャされるべき１つまたは複数の被写体に関連付けられたフォーカス設定データであって、そのような少なくとも１つの画像キャプチャ・デバイスのフォーカス状態を制御するのに使用可能なフォーカス設定データを生成することと関係するシステムを提供し、そのようなシステムは、少なくとも１つの第１の位置特定可能な被写体の現在の位置に関連付けられた第１の位置データを生成するように構造化され、構成された少なくとも１つの第１の位置データ・ジェネレータと、そのような少なくとも１つの画像キャプチャ・デバイスの現在の位置に関連付けられた第２の位置データを生成するように構造化され、構成された少なくとも１つの第２の位置データ・ジェネレータと、そのような第１の位置特定可能な被写体とそのような少なくとも１つの画像キャプチャ・デバイスのイメージャ・フォーカス・ポイントの間の現在の距離を計算するように構造化され、構成された少なくとも１つの距離計算器であって、そのような第１の位置データ、およびそのような第２の位置データを使用してそのような現在の距離を生成するように構成された少なくとも１つの距離計算器とを備え、そのような少なくとも１つの第１の位置データ・ジェネレータは、そのような第１の位置データをワイヤレスで通信するように構造化され、構成された少なくとも１つのワイヤレス・コミュニケータを備え、そのような少なくとも１つの距離計算器は、そのような少なくとも１つの第１のワイヤレス・コミュニケータとワイヤレスで通信することによって第１の位置データを獲得するように構造化され、構成された少なくとも１つの第２のワイヤレス・コミュニケータと、そのような少なくとも１つの画像キャプチャ・デバイスのフォーカス状態を制御する少なくとも１つの画像フォーカス・イフェクタに計算された距離を通信するように構造化され、構成された少なくとも１つの距離データ・コミュニケータとを備え、そのような少なくとも１つの第１の位置データ・ジェネレータは、そのような少なくとも１つの第１の位置データ・ジェネレータの動きとそのような少なくとも１つの第１の位置特定可能な被写体の動きを物理的に結合するように構成された少なくとも１つの第１のモーション・カプラを備え、そのような少なくとも１つの第２の位置データ・ジェネレータは、そのような少なくとも１つの第２の位置データ・ジェネレータの動きとそのような少なくとも１つの画像キャプチャ・デバイスの動きを物理的に結合するように構成された少なくとも１つの第２のモーション・カプラを備える。
【００１３】
[0014]さらに、開示される主題は、そのような少なくとも１つの距離データ・コミュニケータが、計算された現在の距離を表示するように構成された少なくとも１つの距離データ・ディスプレイを備える、そのようなシステムを提供する。さらに、開示される主題は、そのような少なくとも１つの画像キャプチャ・デバイスに隣接してそのような少なくとも１つの距離データ・ディスプレイを支持するように構造化され、構成された少なくとも１つの距離ディスプレイ・サポータをさらに備える、そのようなシステムを提供する。
【００１４】
[0015]また、開示される主題は、そのような少なくとも１つの第１の位置データ・ジェネレータが、そのような第１の位置が導出可能である少なくとも１つの第１の無線信号をワイヤレスで送信するように構造化され、構成された少なくとも１つの無線周波数ＩＤ（ＲＦＩＤ）タグを備え、そのような少なくとも１つの第２の位置データ・ジェネレータが、そのような少なくとも１つの第１の無線信号を受信するように構造化され、構成された少なくとも１つのＲＦＩＤ信号受信器を備える、そのようなシステムを提供する。さらに、開示される主題は、そのような少なくとも１つの第１の位置データ・ジェネレータが、そのような少なくとも１つの第１の位置特定可能な被写体の現在の位置に関連付けられたＧＰＳ信号データを受信するように構造化され、構成された少なくとも１つの第１の全地球測位システム（ＧＰＳ）受信器と、そのＧＰＳ信号データを処理して、そのような第１の位置データを形成するように構造化され、構成された少なくとも１つの第１のＧＰＳ信号データ・プロセッサと、第１の位置データをワイヤレスで送信するように構造化され、構成された少なくとも１つの第１のワイヤレス送信機とを備え、そのような少なくとも１つの第２の位置データ・ジェネレータは、そのような少なくとも１つの画像キャプチャ・デバイスの現在の位置に関連付けられたＧＰＳ信号データを受信するように構造化され、構成された少なくとも１つの第２のＧＰＳ受信器を備え、そのような少なくとも１つの距離計算器は、第１の位置データをワイヤレスで受信するように構造化され、構成された少なくとも１つのワイヤレス・データ受信器を備える、そのようなシステムを提供する。
【００１５】
[0016]さらに、開示される主題は、そのような少なくとも１つの画像キャプチャ・デバイス内で、キャプチャされるべき被写体の撮像に適切なフォーカス状態を確立するのを支援するようにそのような少なくとも１つの画像キャプチャ・デバイスの少なくとも１つのフォーカス・リングを操作するように構造化され、構成された少なくとも１つのフォロー・フォーカス・デバイスをさらに備える、そのようなシステムを提供する。さらに、開示される主題は、そのような少なくとも１つの距離ディスプレイ・サポータが、そのような少なくとも１つのフォロー・フォーカス・デバイスからそのような少なくとも１つの距離データ・ディスプレイをサポートするように構成される、そのようなシステムを提供する。さらに、開示される主題は、そのような少なくとも１つの距離計算器が、そのような少なくとも１つの画像キャプチャ・デバイスの少なくとも１つの現在の画像フォーカス構成を獲得するように構造化され、構成された少なくとも１つのフォーカス設定獲得構成要素を備える、そのようなシステムを提供する。
【００１６】
[0017]さらに、開示される主題は、そのような少なくとも１つの距離計算器は、そのような少なくとも１つの画像キャプチャ・デバイスの少なくとも１つの現在の画像フォーカス構成を表示するように構造化され、構成された少なくとも１つのフォーカス設定ディスプレイをさらに備える、そのようなシステムを提供する。さらに、開示される主題は、そのような少なくとも１つのフォーカス設定獲得構成要素が、現在のレンズＦストップ設定および現在のレンズ焦点距離から基本的に成るグループから選択された少なくとも１つの現在の画像フォーカス構成を獲得するように構成される、そのようなシステムを提供する。また、開示される主題は、そのような少なくとも１つの距離計算器が、そのような少なくとも１つの画像キャプチャ・デバイスの少なくとも１つのハードウェア構成に関連付けられたデータ・エントリをそれぞれが備える複数のキャリブレーション・レコードを記憶するように構造化され、構成されたストレージ・メモリと、複数の保存されたキャリブレーション・レコードのうちの選択された１つをユーザが取り出すのを支援するように構造化され、構成された少なくとも１つのキャリブレーション・ユーザ・インターフェースとをさらに備え、キャリブレーション・レコードの各レコードは、レンズＦストップ範囲、レンズ焦点距離範囲、およびレンズ・フォーカス調整範囲から基本的に成るグループから選択された少なくとも１つのデータ・エントリを包含し、そのようなキャリブレーション・レコードは、そのような少なくとも１つの画像キャプチャ・デバイスのフォーカス状態を制御するようにそのような少なくとも１つの画像フォーカス・イフェクタによって使用可能である、そのようなシステムを提供する。
【００１７】
[0018]さらに、開示される主題は、そのような少なくとも１つの距離計算器が、そのような少なくとも１つの第１の被写体に関する少なくとも１つの第１のフォーカス設定プロファイルを生成するように構造化され、構成された少なくとも１つの被写体プロファイル・ジェネレータをさらに備え、そのような少なくとも１つの被写体プロファイル・ジェネレータが、そのような第１の位置データ、そのような第２の位置データ、およびそのような少なくとも１つの現在の画像フォーカス構成を使用してそのような少なくとも１つの第１のフォーカス設定プロファイルを生成し、そのような生成された少なくとも１つの第１のフォーカス設定プロファイルが、そのような少なくとも１つの画像キャプチャ・デバイスのフォーカス状態を制御するようにそのような少なくとも１つの画像フォーカス・イフェクタによって使用可能である、そのようなシステムを提供する。さらに、開示される主題は、そのような少なくとも１つの画像フォーカス・イフェクタをさらに備えるそのようなシステムを提供し、そのような少なくとも１つの画像フォーカス・イフェクタは、そのような少なくとも１つの画像キャプチャ・デバイスのフォーカス・リングを自動的に操作するように構造化され、構成された少なくとも１つのサーボモータ駆動のフォロー・フォーカス・デバイスを備え、そのような少なくとも１つの画像フォーカス・イフェクタは、そのような少なくとも１つの画像キャプチャ・デバイス内で、そのような生成された少なくとも１つの第１のフォーカス設定プロファイルに応答して、キャプチャされるべき被写体の撮像に適切なフォーカス状態を確立するのを支援するように構成される。
【００１８】
[0019]さらに、開示される主題は、そのような少なくとも１つのサーボモータ駆動のフォロー・フォーカス・デバイスが、そのようなフォーカス状態の手動調整を可能にするように構成された少なくとも１つの手動で操作されるフォーカス・コントロールと、手動調整入力を検出するように構造化され、構成された少なくとも１つの手動操作検出器と、そのような少なくとも１つの手動で操作されるフォーカス・コントロールの少なくとも１つの手動操作が検出されると、そのような少なくとも１つのサーボモータ駆動のフォロー・フォーカス・デバイスの自動動作をオーバライドする少なくとも１つのサーボモータ・オーバライドとをさらに備える、そのようなシステムを提供する。
【００１９】
[0020]さらに、開示される主題は、そのような少なくとも１つの距離計算器が、複数の位置特定可能な被写体を備えるセットの１つの位置特定可能な被写体を各データ・エントリが識別する少なくとも１つのマルチ被写体データ・セットと、そのような少なくとも１つのマルチ被写体データ・セットのそのような各データ・エントリに関して少なくとも１つのフォーカス設定プロファイルを生成するように構造化され、構成された少なくとも１つの被写体プロファイル・ジェネレータと、そのような少なくとも１つのマルチ被写体データ・セットの少なくとも１つのそのようなデータ・エントリをユーザが選択することを可能にするように構造化され、構成された少なくとも１つの位置特定可能な被写体セレクタとをさらに備え、それぞれの選択されたそのような少なくとも１つのフォーカス設定プロファイルは、そのような少なくとも１つの画像キャプチャ・デバイスのフォーカス状態を制御するようにそのような少なくとも１つの画像フォーカス・イフェクタによって使用可能である、そのようなシステムを提供する。さらに、開示される主題は、そのような少なくとも１つの距離計算器が、少なくとも１つのｎ位置特定可能な被写体の現在の位置に関連付けられたｎ位置データを生成するように構造化され、構成された少なくとも１つのｎ位置データ・ジェネレータと、そのようなｎ位置データを使用してそのような少なくとも１つのｎ位置特定可能な被写体に関する少なくとも１つのｎフォーカス設定プロファイルを生成するように構造化され、構成された少なくとも１つのｎ被写体プロファイル・ジェネレータとをさらに備え、それぞれの選択されたそのような少なくとも１つのｎフォーカス設定プロファイルは、そのような少なくとも１つの画像キャプチャ・デバイスのフォーカス状態を制御するようにそのような少なくとも１つの画像フォーカス・イフェクタによって使用可能である、そのようなシステムを提供する。
【００２０】
[0021]さらに、開示される主題は、そのような少なくとも１つの距離計算器が、そのような少なくとも１つの位置特定可能な被写体に関して生成されたそのような少なくとも１つの第１のフォーカス設定プロファイルとそのような少なくとも１つのｎ位置特定可能な被写体に関して生成されたそのような少なくとも１つのｎフォーカス設定プロファイルの間でそのような少なくとも１つの画像キャプチャ・デバイスのそのようなフォーカス状態を遷移させるように構造化され、構成された少なくとも１つの被写体フォーカス・トランジショナをさらに備える、そのようなシステムを提供する。また、開示される主題は、そのような少なくとも１つの被写体フォーカス・トランジショナが、そのようなフォーカス状態のそのような遷移の変化のレートをユーザが制御することを可能にするように構造化され、構成された少なくとも１つのユーザ遷移コントロールを備える、そのようなシステムを提供する。さらに、開示される主題は、そのような少なくとも１つの距離計算器が、少なくとも１つのユーザ・インターフェースと、少なくとも１つのプロセッサと、メモリとを備える少なくとも１つのコンピューティング・デバイスと、そのようなメモリの中に記憶されて、そのような少なくとも１つのプロセッサによって実行されるように構成された少なくとも１つのプログラムであって、そのような少なくとも１つのユーザ・インターフェース上に少なくとも１つのメニューを表示するための命令であって、そのような少なくとも１つのメニューは、少なくとも１つのユーザ選択可能なメニュー項目を備える命令と、そのような少なくとも１つのユーザ選択可能なメニュー項目のうちの少なくとも１つに対応する少なくとも１つのユーザ入力を受け取るための命令とを備えるプログラムとをさらに備える、そのようなシステムを提供する。さらに、開示される主題は、そのような少なくとも１つのプログラムが、そのような少なくとも１つの距離計算器が位置特定可能な被写体を自動的に探し求めるようにする命令をさらに備える、そのようなシステムを提供する。さらに、開示される主題は、そのような少なくとも１つのユーザ・インターフェースが、少なくとも１つのタッチセンシティブ・ディスプレイを備える、そのようなシステムを提供する。
【００２１】
[0022]さらに、開示される主題は、そのような少なくとも１つのユーザ・インターフェースが、そのような少なくとも１つの画像キャプチャ・デバイスによってキャプチャされた少なくとも１つの現在の画像を表示するように構成された少なくとも１つの現在の画像ウインドウを備える、そのようなシステムを提供する。さらに、開示される主題は、そのような少なくとも１つのユーザ・インターフェースが、そのような少なくとも１つのキャリブレーション・ユーザ・インターフェースを可能にする少なくとも１つのユーザ選択可能なメニュー項目をさらに備え、そのような少なくとも１つのキャリブレーション・ユーザ・インターフェースを可能にするそのような少なくとも１つのユーザ選択可能なメニュー項目が、そのような少なくとも１つの画像キャプチャ・デバイスの少なくとも１つのハードウェア構成の手動入力を可能にする少なくとも１つの少なくとも１つのユーザ選択可能なメニュー項目を備える、そのようなシステムを提供する。さらに、開示される主題は、そのような少なくとも１つのユーザ・インターフェースが、そのような第１の位置データ、そのような第２の位置データ、およびそのようなｎ位置データのうちの少なくとも１つのユーザ主導の獲得を可能にする少なくとも１つのユーザ選択可能なメニュー項目をさらに備える、そのようなシステムを提供する。
【００２２】
[0023]また、開示される主題は、そのような少なくとも１つのユーザ・インターフェースが、そのようなｎ位置データを、少なくとも１つのそのようなｎ位置特定可能な被写体を識別するのに使用される少なくとも１つのユーザによって選択された名前にユーザが関連付けることを可能にする少なくとも１つのユーザ選択可能なメニュー項目をさらに備える、そのようなシステムを提供する。さらに、開示される主題は、そのような少なくとも１つのユーザ・インターフェースが、そのような少なくとも１つの被写体フォーカス・トランジショナの動作を可能にする少なくとも１つのユーザ選択可能なメニュー項目をさらに備える、そのようなシステムを提供する。さらに、開示される主題は、少なくとも１つのユーザ・インターフェースが、そのような少なくとも１つのユーザ遷移コントロールの動作を可能にする少なくとも１つのユーザ選択可能なメニュー項目をさらに備える、そのようなシステムを提供する。さらに、開示される主題は、少なくとも１つのコンピューティング・デバイスが、少なくとも１つのポータブル・コンピューティング・デバイスを備える、そのようなシステムを提供する。
【００２３】
[0024]さらに、開示される主題は、そのようなシステム内で動作する複数の画像キャプチャ・デバイスを制御するように構造化され、構成された少なくとも１つのシステム・コントローラをさらに備える、そのようなシステムを提供する。さらに、開示される主題は、そのような少なくとも１つのコントローラ通信がワイヤレスである、そのようなシステムを提供する。さらに、開示される主題は、そのような少なくとも１つの画像キャプチャ・デバイスがビデオ・カメラである、そのようなシステムを提供する。
【００２４】
[0025]本明細書の実施形態によれば、開示される主題は、少なくとも１つの画像キャプチャ・デバイスのために、キャプチャされるべき１つまたは複数の被写体に関連付けられたフォーカス設定データを生成することと関係するシステムを提供し、そのようなフォーカス設定データは、そのような少なくとも１つの画像キャプチャ・デバイスのフォーカス状態を制御するように使用可能であり、そのようなシステムは、少なくとも１つのロケータ・タグに関連付けられたタグ付けされた被写体の現在の位置に関連付けられた第１の位置データを生成するように構造化され、構成された少なくとも１つのロケータ・タグと、そのような少なくとも１つの画像キャプチャ・デバイスの現在の位置に関連付けられた第２の位置データを生成するように構造化され、構成された少なくとも１つの画像デバイス・ロケータと、そのような位置特定可能な被写体とそのような少なくとも１つの画像キャプチャ・デバイスのイメージャ・フォーカス・ポイントの間の現在の距離を計算するように構造化され、構成された少なくとも１つのコンピューティング・デバイスであって、そのような少なくとも１つの距離計算器は、そのような第１の位置データ、およびそのような第２の位置データを使用してそのような現在の距離を生成するように構成されるコンピューティング・デバイスと、計算された現在の距離を表示するように構成された少なくとも１つの距離データ・ディスプレイと、そのような少なくとも１つの画像キャプチャ・デバイス内で、キャプチャされるべき被写体の撮像に適切なフォーカス状態を確立するのを支援するようにそのような少なくとも１つの画像キャプチャ・デバイスの少なくとも１つのフォーカス・リングを操作するように構造化され、構成された少なくとも１つのフォロー・フォーカス・デバイスとを備え、そのような少なくとも１つのロケータ・タグは、そのような第１の位置データをワイヤレスで通信するように構造化され、構成された少なくとも１つの第１のワイヤレス・コミュニケータを備え、そのような少なくとも１つのコンピューティング・デバイスは、そのような少なくとも１つの第１のワイヤレス・コミュニケータとワイヤレスで通信することによって第１の位置データを獲得するように構造化され、構成された少なくとも１つの第２のワイヤレス・コミュニケータを備え、そのような少なくとも１つの距離データ・ディスプレイは、そのような少なくとも１つのフォロー・フォーカス・デバイスに隣接してそのような少なくとも１つの距離データ・ディスプレイを取り付けるのを支援するように構造化され、構成された少なくとも１つのディスプレイ・マウントを備える。
【００２５】
[0026]また、開示される主題は、そのような少なくとも１つのディスプレイ・マウントが、そのような少なくとも１つのフォロー・フォーカス・デバイスに隣接してそのような少なくとも１つのコンピューティング・デバイスを取り付けるのを支援するように構造化され、構成された少なくとも１つのコンピューティング・デバイス・マウントを備える、そのようなシステムを提供する。さらに、開示される主題は、そのような少なくとも１つの画像キャプチャ・デバイスの少なくとも１つの現在の画像フォーカス構成を獲得するように構造化され、構成された少なくとも１つのフォーカス設定獲得構成要素と、そのような少なくとも１つの画像キャプチャ・デバイスの少なくとも１つの現在の画像フォーカス構成を表示するように構造化され、構成された少なくとも１つのフォーカス設定ディスプレイとをさらに備える、そのようなシステムを提供する。また、開示される主題は、そのような少なくとも１つのコンピューティング・デバイスが、それぞれのそのようなタグ付けされた被写体に関して少なくとも１つのフォーカス設定プロファイルを生成するように構造化され、構成された少なくとも１つの被写体プロファイル・ジェネレータを備え、そのような少なくとも１つの被写体プロファイル・ジェネレータが、そのような第１の位置データ、そのような第２の位置データ、およびそのような少なくとも１つの現在の画像フォーカス構成を使用してそのような少なくとも１つのフォーカス設定プロファイルを生成し、それぞれのそのような生成された少なくとも１つのフォーカス設定プロファイルが、そのような少なくとも１つの画像キャプチャ・デバイスのフォーカス状態を制御するように使用可能である、そのようなシステムを提供する。
【００２６】
[0027]さらに、開示される主題は、そのような少なくとも１つの画像キャプチャ・デバイスのフォーカス・リングを自動的に操作するように構造化され、構成された少なくとも１つのサーボモータ駆動のフォロー・フォーカス・デバイスをさらに備え、少なくとも１つのサーボモータ駆動のフォロー・フォーカス・デバイスは、そのような少なくとも１つのコンピューティング・デバイスによって制御され、そのような少なくとも１つのサーボモータ駆動のフォロー・フォーカス・デバイスは、そのような少なくとも１つの画像キャプチャ・デバイス内で、キャプチャされるべき被写体の撮像に適切なフォーカス状態を確立するのを支援するように構成される、そのようなシステムを提供する。さらに、開示される主題は、そのような少なくとも１つのコンピューティング・デバイスが、少なくとも１つのユーザ・インターフェースと、少なくとも１つのプロセッサと、メモリと、少なくとも１つのプログラムとをさらに備え、そのような少なくとも１つのプログラムは、そのようなメモリの中に記憶されて、そのような少なくとも１つのプロセッサによって実行されるように構成され、そのような少なくとも１つのプログラムは、そのような少なくとも１つのユーザ・インターフェース上に少なくとも１つのメニューを表示するための命令であって、そのような少なくとも１つのメニューは、少なくとも１つのユーザ選択可能なメニュー項目を備える命令と、そのような少なくとも１つのユーザ選択可能なメニュー項目のうちの少なくとも１つに対応する少なくとも１つのユーザ入力を受け取るための命令とを備える、そのようなシステムを提供する。
【００２７】
[0028]さらに、開示される主題は、そのような少なくとも１つのユーザ・インターフェースが、少なくとも１つのタッチセンシティブ・ディスプレイを備える、そのようなシステムを提供する。さらに、開示される主題は、そのような少なくとも１つのコンピューティング・デバイスが、そのような少なくとも１つのサーボモータ駆動のフォロー・フォーカス・デバイスとワイヤレスで通信する、そのようなシステムを提供する。本明細書の別の実施形態において、開示される主題は、少なくとも１つの画像キャプチャ・デバイスのために、そのような少なくとも１つの画像キャプチャ・デバイスのフォーカス状態を制御するのに使用可能な、キャプチャされるべき１つまたは複数の被写体に関連付けられたフォーカス設定データを生成することと関係する方法を提供し、そのような方法は、そのような少なくとも１つのロケータ・タグに関連付けられたタグ付けされた被写体の現在の位置に関連付けられた第１の位置データを生成するように構造化され、構成された少なくとも１つのロケータ・タグを提供するステップと、そのような少なくとも１つの画像キャプチャ・デバイスの現在の位置に関連付けられた第２の位置データを生成するように構造化され、構成された少なくとも１つの画像デバイス・ロケータを提供するステップと、そのような位置特定可能な被写体とそのような少なくとも１つの画像キャプチャ・デバイスのイメージャ・フォーカス・ポイントの間の現在の距離を計算するように構造化され、構成された少なくとも１つのコンピューティング・デバイスを提供するステップと、そのような第１の位置データ、およびそのような第２の位置データを使用してそのような現在の距離を生成するステップと、計算された現在の距離を表示するように構成された少なくとも１つの距離データ・ディスプレイを提供するステップと、そのような少なくとも１つの画像キャプチャ・デバイス内で、キャプチャされるべき被写体の撮像に適切なフォーカス状態を確立するのを支援するようにそのような少なくとも１つの画像キャプチャ・デバイスの少なくとも１つのフォーカス・リングを操作するように構造化され、構成された少なくとも１つのフォロー・フォーカス・デバイスを提供するステップと、表示された計算された現在の距離に応答してそのような少なくとも１つの画像キャプチャのそのような少なくとも１つのフォーカス・リングを操作するステップとを備え、そのような少なくとも１つのロケータ・タグは、そのような第１の位置データをワイヤレスで通信するように構造化され、構成された少なくとも１つの第１のワイヤレス・コミュニケータを備え、そのような少なくとも１つのコンピューティング・デバイスは、そのような少なくとも１つの第１のワイヤレス・コミュニケータとワイヤレスで通信することによって第１の位置データを獲得するように構造化され、構成された少なくとも１つの第２のワイヤレス・コミュニケータを備え、そのような少なくとも１つの距離データ・ディスプレイは、そのような少なくとも１つのフォロー・フォーカス・デバイスに隣接してそのような少なくとも１つの距離データ・ディスプレイを取り付けるのを支援するように構造化され、構成された少なくとも１つのディスプレイ・マウントを備える。
【００２８】
[0029]本明細書の実施形態によれば、開示される主題は、本仮特許出願によって開示される、または示唆されるあらゆる新奇の特徴、要素、組合せ、ステップ、および／または方法を与える。
【図面の簡単な説明】
【００２９】
【図１】[0030]開示される主題の実施形態による、フォーカス支援デバイスを備えるように変形されたカメラを示す透視図である。
【図２】[0031]図１のフォーカス支援デバイスをさらに示す透視図である。
【図３】[0032]フォーカス支援デバイスの特徴、ならびに画像キャプチャ・デバイスの用法、および図１のカメラとの相互動作を示す図である。
【図４】[0033]出願者のロケータ・タグの実施形態を示す概略図である。
【図５】[0034]出願者のロケータ・タグの実施形態を示す概略図である。
【図６】[0035]開示される主題の実施形態による、サーボ駆動のフォーカス支援デバイスを示す透視図である。
【図７】[0036]開示される主題の実施形態による、カメラのフォーカス・リングのフォロー・フォーカス・ギアに隣接して取り付けられた図６のサーボ駆動のフォーカス支援デバイスを示す正面図である。
【図８】[0037]図６のサーボ駆動のフォーカス支援デバイスの機能要素を示すブロック図である。
【図９】[0038]開示される主題の実施形態による、ポータブル・ユーザ・インターフェースによって遠隔で制御される図６のサーボ駆動のフォーカス支援デバイスを備えるように変形されたカメラを示す透視図である。
【図１０】[0039]開示される主題の実施形態による、ポータブル・ユーザ・インターフェースを示す正面図である。
【図１１】[0040]開示される主題の実施形態による、焦点距離表示メニューを表示する図９のポータブル・ユーザ・インターフェースを示す正面図である。
【図１２】[0041]開示される主題の実施形態による、キャリブレーション・メニューを表示する図９のポータブル・ユーザ・インターフェースを示す正面図である。
【図１３】[0042]開示される主題の実施形態による、タグ同期メニューを表示する図９のポータブル・ユーザ・インターフェースを示す正面図である。
【図１４】[0043]開示される主題の実施形態による、被写体フォーカス切換えメニューを示す図９のポータブル・ユーザ・インターフェースを示す正面図である。
【図１５】[0044]開示される主題の実施形態による、オプション・メニューを示す図９のポータブル・ユーザ・インターフェースを示す正面図である。
【図１６】[0045]開示される主題の実施形態による、中心位置から複数のカメラを制御するように構成されたマスタ・コントローラを概略で示す図である。
【発明を実施するための形態】
【００３０】
[0046]出願者は、目標被写体の適切なフォーカスを確立するのを支援するように設計された距離測定カメラ・アクセサリを含むカメラ・フォーカス・システム１００を開発した。一般的に述べると、本明細書で開示されるシステムは、カメラの現在の位置、および目標被写体の現在の位置を確立することによって、カメラ・イメージャとキャプチャされるべき被写体の間の焦点距離を決定するように構成される。
【００３１】
[0047]図１を参照すると、図１は、開示される主題の実施形態による、出願者のフォーカス支援デバイス１０２を備えるように変形されているカメラ１０３（破線描写によって示される）を図示する透視図を示す。図２は、図１の実施形態によるフォーカス支援デバイス１０２をさらに示す透視図を示す。フォーカス支援デバイス１０２の主要な能力は、目標被写体までの焦点距離を正確に計算するシステムの能力である。完璧なフォーカスを実現するのに、カメラ１０３のフォーカス・ポイントからの被写体の距離が測定されて、カメラ・レンズ１０５のフォーカス・リング（focal ring）に正確に適合させられなければならない。フォーカス支援デバイス１０２は、カメラ・レンズ１０５のフォーカス・リングにおける、またはその近くのそのような計算された距離を表示することによって、カメラ・レンズ１０５の操作者が、カメラ１０３のフォーカス・ステータスを正しく調整するのを支援する。この距離測定フィーチャは、レンズ操作者が、一貫して、正しい距離にプル・フォーカス(pull focus)を行うことを可能にする。
【００３２】
[0048]実施形態において、カメラ・フォーカス支援デバイス１０２が、図示されるとおり、距離ディスプレイ１１４を有する少なくとも１つの距離計算ユニット１１２を備える。距離計算ユニット１１２は、カメラ１０３と１つまたは複数の位置特定可能な被写体１１３の間の焦点距離を計算するように構成される（図３参照）。距離計算ユニット１１２は、位置特定可能な被写体１１３に関連付けられた距離データを受け取り、処理するように構成される。そのような距離計算の結果は、距離ディスプレイ１１４に現れ、カメラ１０３のフォーカス状態を適切に調整するようにカメラ・レンズ１０５の操作者によって使用されることが可能である（計算された距離を、少なくとも１つの画像キャプチャ・デバイスのフォーカス状態を制御する少なくとも１つの画像フォーカス・イフェクタに通信するように構造化され、構成された少なくとも１つの距離データ・コミュニケータを本明細書において少なくとも実施する）。前述したフィーチャをサポートするシステム実施形態が、図３によって、かつ／または図３を参照してさらに説明される。
【００３３】
[0049]実施形態において、フォーカス支援デバイス１０２は、図１および図２に示されるとおり、少なくとも１つのフォロー・フォーカス・ユニット１０４をさらに備える。フォロー・フォーカス・ユニット１０４は、カメラ操作者が、カメラ・レンズ１０５のフォーカス・リングを手動で調整するのを支援するように構成される。フォロー・フォーカス・ユニット１０４は、外側フォーカス・ホイール１０８と内側ドライブ・ギア１０９を動作上、結合するギア・セットを備える。ドライブ・ギア１０９は、図示されるとおり、カメラ・レンズ１０５のフォーカス・リングに取り付けられる、またはフォーカス・リングと一体化している部分を形成するリング・ギア１０６と噛み合うように構成される。
【００３４】
[0050]フォーカス・ホイール１０８の操作は、リング・ギア１０６の滑らかな振動のない回転をもたらす。したがって、フォロー・フォーカス・ユニット１０４は、操作者が、カメラ１０３内で、キャプチャされるべき被写体の撮像に適切なフォーカス状態を確立することを可能にする。フォロー・フォーカス・ユニット１０４として機能するように適応可能な構成要素を有する市販のフォロー・フォーカス・ユニットは、イリノイ州シカゴ所在のＺａｃｕｔｏＵＳＡコーポレーションによって製造されるＺ−Ｆｏｃｕｓ（登録商標）系列から選択されたモデルを含む。
【００３５】
[0051]フォーカス支援デバイス１０２は、図示されるとおり、カメラ１０３に隣接した位置にフォーカス支援デバイス１０２を取り付けるように構成された少なくとも１つのマウント１１０を備える。
【００３６】
[0052]実施形態において、マウント１１０は、図１および図２に示されるとおり、フォロー・フォーカス・ユニット１０４と一体となった構成要素である。マウント１１０は、例えば、図１の破線描写によって示される１５ミリメートル（ｍｍ）マット・ボックス・サポート・ロッド(matte box support rod)などの、３つの一般的に使用されるカメラ・レール・システム１１１のうちの少なくとも１つと適合する。本明細書を読むと、適切な状況下で、設計選好、ユーザ選好、マーケティング選好、費用、構造上の要件、利用可能な材料、技術的進歩などの問題を考慮して、例えば、カメラ本体に結合するように構成されたマウント、三脚に結合するように構成されたマウントなどの他の取り付け構成でも十分であり得ることが当業者には理解されよう。
【００３７】
[0053]図１および図２の実施形態において、距離計算ユニット１１２は、図示されるとおり、筐体１１５内に包含されて、フォロー・フォーカス・ユニット１０４によって支持される。距離計算ユニット１１２の筐体１１５は、距離ディスプレイ１１４をユーザ入力コントロール１２１およびインジケータ・ライトと一緒に備えて、ユーザ・インターフェースを形成する。さらに、筐体１１５の構成は、バッテリ・ボックス(battery compartment)、外部データ・ポート、外部電源ポートなどの装備をさらに含む。
【００３８】
[0054]図３は、図１によるフォーカス支援デバイス１０２のフィーチャおよび構成の実施形態を例示する図を示す。カメラ・フォーカス・システム１００は、ロケータ・タグ１１６を、カメラ１０３によってキャプチャされるべき各被写体に関連付けることによって動作する。ロケータ・タグ１１６（本明細書で「ロケータ・ビーコン」または単に「ビーコン」とも呼ばれる）は、計算ユニット１１２によって検出可能な少なくとも１つのワイヤレス信号を送信するように構成される（そのような少なくとも１つの第１の位置データ・ジェネレータが、そのような第１の位置データをワイヤレスで通信するように構造化され、構成された少なくとも１つの第１のワイヤレス・コミュニケータを備えるように本明細書において少なくとも実施する）。そのワイヤレス信号は、タグ付けされた被写体の現在の位置を決定するように計算ユニット１１２と関係して使用可能な位置データを包含する。したがって、任意の目標被写体が、その被写体がロケータ・タグ１１６を保有し、計算ユニット１１２と関係する検出範囲内にある場合、システムによって位置特定可能となる。
【００３９】
[0055]システムの例として、図３に被写体「Ａ」および被写体「Ｂ」として識別される２つの位置特定可能な被写体１１３が、カメラ１０３（少なくとも１つの画像キャプチャ・デバイスを本明細書において少なくとも実施する）の視界１１７内で位置特定される。それぞれの位置特定可能な被写体１１３が、フォーカス支援デバイス１０２（そのような少なくとも１つの第１のワイヤレス・コミュニケータとワイヤレスで通信することによって第１の位置データを獲得するように構造化され、構成された少なくとも１つの第２のワイヤレス・コミュニケータを本明細書において少なくとも実施する）のワイヤレス信号受信器１１８に現在の被写体位置データを送信することができるロケータ・タグ１１６を担持する。各ロケータ・タグ１１６（少なくとも１つの第１の位置特定可能な被写体の現在の位置に関連付けられた第１の位置データを生成するように構造化され、構成された少なくとも１つの第１の位置データ・ジェネレータを本明細書において少なくとも実施する）は、フォーカス支援デバイス１０２が、複数のロケータ・タグ１１６に由来し、位置特定可能な被写体１１３に関連付けられた信号を区別することを可能にする独特の識別子を備える。ロケータ・タグ１１６は、例えば、人または物体に表面実装することによって、当事者によって着られる衣服の物品にクリップで留めることによって、または車両の一部分に付着することによって、位置特定可能な被写体１１３と一緒に移動するように設計される（そのような少なくとも１つの第１の位置データ・ジェネレータが、そのような少なくとも１つの第１の位置データ・ジェネレータの動きとそのような少なくとも１つの第１の位置特定可能な被写体の動きを物理的に結合するように構成された少なくとも１つの第１のモーション・カプラを備えるように本明細書において少なくとも実施する）。したがって、「タグＡ」として識別されるロケータ・タグ１１６は、被写体「Ａ」と一緒に移動し、「タグＢ」として識別されるロケータ・タグ１１６は、被写体「Ｂ」と一緒に移動する。
【００４０】
[0056]実施形態において、カメラ・フォーカス・システム１００は、少なくとも２つのカメラ１０３および距離計算ユニット１１２と、複数のカメラ１０３が複数のロケータ・タグ１１６と一緒に使用されることを可能にして、システム１００が、タグ１１６を有する被写体１１３にカメラ１０３の焦点を自動的に合わせることを可能にする少なくとも１つのロケータ・タグ１１６とを含む。実施形態において、ロケータ・タグ１１６は、リアルタイムで距離を決定するように互いに通信するとともに、カメラ１０３と通信する。実施形態において、カメラ・フォーカス・システム１００は、１つまたは複数の静止基準ポイントまたは静止基準アンカを使用して、タグ１１６を有する被写体１１３とカメラ１０３の間の距離計算の精度を高める。実施形態において、静止基準ポイントは、要素間の距離をリアルタイムで決定するようにタグ１１６および距離計算ユニット１１２と通信する無線伝送を生成する。実施形態において、ロケータ・タグ１１６は、互いに通信し、静止基準ポイントと通信するとともに、カメラ１０３と通信して、要素間の距離をリアルタイムで決定する。
【００４１】
[0057]距離計算ユニット１１２は、カメラ１０３の現在の位置に関連付けられた位置データを生成するように設計された少なくとも１つのカメラ・ロケータ１２０を備える（そのような少なくとも１つの画像キャプチャ・デバイスの現在の位置に関連付けられた第２の位置データを本明細書において少なくとも実施する）。カメラ１０３に関するそのような２次位置データを生成する方法は、目標被写体に関連付けられた第１の被写体位置データを生成するのに使用される方法に依存し、この方法については、本開示の後段のセクションにおいてさらに説明される。
【００４２】
[0058]距離計算ユニット１１２は、ロケータ・タグ１１６から受信された現在の被写体位置データ、およびカメラ１０３に関する２次位置データを利用して、イメージャ・フォーカス・ポイント１２２と視界１１７内に位置する目標被写体の間の距離を計算する（そのような少なくとも１つの距離計算器が、そのような第１の位置特定可能な被写体とそのような少なくとも１つの画像キャプチャ・デバイスのイメージャ・フォーカス・ポイントの間の現在の距離を計算するように構造化され、構成され、そのような少なくとも１つの距離計算器が、そのような第１の位置データ、およびそのような第２の位置データを使用してそのような現在の距離を生成するように構成されるように本明細書において少なくとも実施する）。例えば、距離計算ユニット１１２は、「タグＡ」から受信された現在の被写体位置データ、およびカメラ・ロケータ１２０からの二次位置データを利用して、被写体「Ａ」とカメラ１０３のイメージャ・フォーカス・ポイント１２２の間の距離Ｄ１を計算する。したがって、距離計算ユニット１１２は、カメラ１０３のフォーカス状態を制御するようにカメラ１０３の操作者によって使用可能である被写体「Ａ」に関する少なくとも１つのフォーカス設定プロファイルを生成する（少なくとも１つの画像フォーカス・イフェクタを本明細書において少なくとも実施する）（そのような少なくとも１つの被写体プロファイル・ジェネレータが、そのような第１の位置データ、そのような第２の位置データ、およびそのような少なくとも１つの現在の画像フォーカス構成を使用してそのような少なくとも１つの第１のフォーカス設定プロファイルを生成し、そのような生成された少なくとも１つの第１のフォーカス設定プロファイルが、そのような少なくとも１つの画像キャプチャ・デバイスのフォーカス状態を制御するようにそのような少なくとも１つの画像フォーカス・イフェクタによって使用可能であるように本明細書において少なくとも実施する）。同様に、距離計算ユニット１１２は、「タグＢ」から受信された現在の被写体位置データ、およびカメラ・ロケータ１２０からの二次位置データを利用して、被写体「Ｂ」とカメラ１０３のイメージャ・フォーカス・ポイント１２２の間の距離Ｄ２を計算する。したがって、距離計算ユニット１１２は、カメラ１０３の操作者によって使用可能である被写体「Ｂ」に関する少なくとも１つのフォーカス設定プロファイルを生成する。
【００４３】
[0059]図３のブロック図を参照すると、距離計算ユニット１１２は、図示されるとおり、少なくとも１つのユーザ・インターフェース１２４と、少なくとも１つのプロセッサ１２６と、システム・メモリ１２７とを備える。ワイヤレス信号受信器１１８を備えたデータ・リンク１４０が、ロケータ・タグ１１６から第１の位置データを受信して、そのデータをプロセッサ１２６に渡すように機能する。
【００４４】
[0060]距離計算ユニット１１２は、ワイヤレス通信技術を使用して前述した距離測定機能を実施する。実施形態において、図４と関係して一般的に説明されるとおり、無線周波数ＩＤ（ＲＦＩＤ）技術が使用される。
【００４５】
[0061]図４は、開示される主題の実施形態による、ＲＦＩＤ対応のロケータ・タグ１１６を例示する概略図を示す。ＲＦＩＤ対応の距離計算ユニット１１２は、無線信号のタイム・オブ・フライト(time of flight)に基づく距離Ｄ１の計算を利用する。より詳細には、ＲＦＩＤ対応の距離計算ユニット１１２は、無線信号１２５が送信器アンテナ１２８からタグ・アンテナ１３０まで伝送され、リーダ・アンテナ１３２に戻るのに要する時間を測定する。カメラ１０３からタグまでの距離は、電波が光速で伝播する速度に基づいて計算される。ＲＦＩＤ対応のロケータ・タグ１１６は、信号を中継する能動（または受動）トランスポンダ１３４を備えることが可能である。実施形態において、送信器アンテナ１２８およびリーダ・アンテナ１３２は、データ・リンク１４０の拡張を備え、エンジニアリング選好に依存して、単一の送信−受信アンテナを備えることも可能である（そのような少なくとも１つの第１の位置データ・ジェネレータが、そのような第１の位置データが導出可能である少なくとも１つの第１の無線信号をワイヤレスで送信するように構造化され、構成された少なくとも１つのＲＦＩＤタグを備え、そのような少なくとも１つの第２の位置データ・ジェネレータが、そのような少なくとも１つの第１の無線信号を受信するように構造化され、構成された少なくとも１つのＲＦＩＤ信号受信器を備えるように本明細書において少なくとも実施する）。
【００４６】
[0062]ＲＦＩＤ対応の距離計算ユニット１１２内にカメラ・ロケータ１２０を実装することは、リーダ・アンテナ１３２とイメージャ・フォーカス・ポイント１２２の単純な固定された物理的関連付けを介して実現される（そのような少なくとも１つの第２の位置データ・ジェネレータが、そのような少なくとも１つの第２の位置データ・ジェネレータの動きとそのような少なくとも１つの画像キャプチャ・デバイスの動きを物理的に結合するように構成された少なくとも１つの第２のモーション・カプラを備える）。本明細書を読むと、適切な条件下で、設計選好、ユーザ選好、マーケティング選好、費用、利用可能な材料、技術的進歩などの問題を考慮して、例えば、信号強度の測定、タグに向かって戻るように位置特定ベクトルを描く、いくつかのリーダ位置において測定されたタグからの電波の到着の角度、複数のビーコンの三角測量を介して距離を計算することなどの他のＲＦＩＤ技術でも十分であり得ることが当業者には理解されよう。さらに、Ｂｌｕｅｔｏｏｔｈ（登録商標）対応のロケータ・タグ１１６、超広帯域技術対応のロケータ・タグ１１６、インパルス無線伝送などの超広帯域技術対応のロケータ・タグ１１６などの無線信号のタイム・オブ・フライト、ロケータ・タグ１１６のＷｉＦｉ三角測量もしくはＧＳＭ（登録商標）セルラ三角測量、および関連するシステム１００構成要素、ならびに対応するハードウェアおよびソフトウェアを距離計算ユニット１１２と一緒に使用する他のワイヤレス通信技術が展開されてもよい。
【００４７】
[0063]実施形態において、距離計算ユニット１１２は、図５に全体的に示されるとおり、全地球測位システム（ＧＰＳ）受信器のセットを使用して前述した距離測定機能を実装する。
【００４８】
[0064]図５は、ＧＰＳ対応のロケータ・タグ１１６を例示する概略図を示す。ＧＰＳ対応のロケータ・タグ１１６（「タグＡ」）は、位置特定可能な被写体１１３（被写体「Ａ」）の現在の位置に関連付けられたＧＰＳ信号データを受信するように構造化され、構成された少なくとも１つのＧＰＳ受信器１３６を備える。
【００４９】
[0065]ＧＰＳ受信器１３６は、位置特定可能な被写体１１３（被写体「Ａ」）に関して現在の位置データを生成するようにＧＰＳ信号データを処理するように構造化され、構成された少なくとも１つの第１のＧＰＳ信号データ・プロセッサ１３８を備える。ＧＰＳ対応のロケータ・タグ１１６は、図示されるとおり、ＧＰＳ対応の距離計算ユニット１１２内に位置するデータ・リンク１４０のワイヤレス受信器１４４に被写体位置データを送信するワイヤレス送信器１４２を包含する（そのような少なくとも１つの距離計算器が、第１の位置データをワイヤレスで受信するように構造化され、構成された少なくとも１つのワイヤレス・データ受信器を備えるように本明細書において少なくとも実施する）。本明細書を読むと、適切な状況下で、設計選好、ユーザ選好、マーケティング選好、費用、技術的進歩などの問題を考慮して、例えば、ビーコンとしてＧＰＳ対応のモバイル電話を利用すること、ＩＲベースのデータ信号を使用する通信を実施することなどの他のタグ付け技術でも十分であり得ることが当業者には理解されよう。
【００５０】
[0066]ＧＰＳ対応の距離計算ユニット１１２内にカメラ・ロケータ１２０を実装することは、ＧＰＳ対応の距離計算ユニット１１２内に第２のＧＰＳ受信器１４６を組み込むことによって実現される。第２のＧＰＳ受信器１４６は、カメラ１０３の現在の位置に関連付けられたＧＰＳ信号データを受信して、その位置データをプロセッサ１２６に渡す（図３も参照）。距離Ｄ１が、そのＧＰＳ位置データを比較することによって計算される。
【００５１】
[0067]図３を再び参照すると、カメラ・フォーカス・システム１００の実施形態が、少なくとも１つのフォーカス設定獲得構成要素１５０をさらに含む。フォーカス設定獲得構成要素１５０は、カメラ・レンズ１０５のフォーカス・リングの現在の距離設定を獲得するように構成される。フォーカス設定獲得構成要素１５０によって獲得される画像フォーカス設定は、現在のレンズＦストップ設定と、カメラ・レンズ１０５の現在のレンズ焦点距離とを含む。そのＦストップ設定およびレンズ焦点距離は、カメラ・レンズ１０５の被写界深度および焦点距離を計算するのに利用される。
【００５２】
[0068]カメラ・レンズ１０５のフォーカス・リングの現在の距離設定は、ユーザ・インターフェース１２４において表示され（図２参照）、したがって、カメラ１０３の操作者がイメージ・フォーカスの精度を確認することを可能にする。図２を再び参照すると、カメラ・レンズ１０５のフォーカス・リングの現在の距離設定が、フォーカス支援デバイス１０２の距離ディスプレイ１１４上に表示される（そのような少なくとも１つの画像キャプチャ・デバイスの少なくとも１つの現在の画像フォーカス構成を表示するように構造化され、構成された少なくとも１つのフォーカス設定ディスプレイを本明細書において少なくとも実施する）。
【００５３】
[0069]実施形態において、ロケータ・タグ１１６は、オン／オフ・スイッチと、バッテリ筐体と、充電するための電源入力とを含む。さらに、システム実施形態は、ロケータ・タグ１１６に関するリフレッシュ・レート・オプションを制御する能力を有する。
【００５４】
[0070]図２の例示を再び参照すると、距離計算ユニット１１２のユーザ・インターフェース１２４が、図示されるとおり、オン／オフ・スイッチ１５１と、同期ボタン１５２と、距離ディスプレイ１１４と、確認ライト１５４とを含む。同期ボタン１５２は、作動させられると、ブロードキャスト範囲内ですべてのロケータ・タグ１１６の探索を開始する。緑色の照明確認ライト１５４が、ロケータ・タグ１１６が追跡されていることを示す。
【００５５】
[0071]距離ディスプレイ１１４は、カメラからロケータ・タグまでの計算された距離を示し、図３のフォーカス設定獲得構成要素１５０を備えている場合、カメラ・レンズ１０５のフォーカス・リングの現在の距離設定も示す。カメラ・フォーカス・システム１００の実施形態は、カメラ・レンズ１０５のフォーカス調整の範囲を記録するようにさらに構成されることに留意されたい。フォーカス設定獲得構成要素１５０として使用するために適応可能である例示的な技術が、英国レスター、サーマストン所在のＣｏｏｋｅ  Ｏｐｔｉｃｓ  Ｌｉｍｉｔｅｄによって製造されるＣｉｎｅｍａｔｏｇｒａｐｈｙ  Ｅｌｅｃｔｒｏｎｉｃｓ／ｉ  Ｌｅｎｓ  Ｄｉｓｐｌａｙ  Ｕｎｉｔである。
【００５６】
[0072]図６は、本明細書で開示される主題の実施形態によるサーボ駆動のフォーカス支援デバイス１６０を図示する透視図を示す。フォーカス支援デバイス１６０は、図示されるとおり、電気的に駆動されるサーボモータ１６３と相互動作する距離計算ユニット１６１を備える。図７は、カメラ１０３のフォーカス・リングのフォロー・フォーカス・リング・ギア１０６に隣接して取り付けられたサーボ駆動のフォーカス支援デバイス１６０を例示する正面図を示す。図８は、図６のサーボ駆動のフォーカス支援デバイス１６０の機能要素を例示するブロック図を示す。
【００５７】
[0073]図６乃至図８の例示を参照すると、サーボモータ１６３が、図７に示されるとおり（図１にも概念的に示される）、カメラ・レンズ１０５のリング・ギア１０６／フォーカス・リングと噛み合う、ギア・ドライブ１６４を動作させるように構成される。サーボ駆動のフォーカス支援デバイス１６０（少なくとも１つの画像フォーカス・イフェクタを本明細書において少なくとも実施する）が、位置特定可能な被写体１１３の適切な撮像に適切なように、カメラ１０３のフォーカス状態を自動的に調整するように構成される。より詳細には、サーボ駆動のフォーカス支援デバイス１６０は、ロケータ・タグ１１６から受信された位置データを使用して距離計算ユニット１６１によって生成された被写体位置プロファイルに応答して、カメラ１０３のフォーカス状態を自動的に調整するように構成される（そのような少なくとも１つの画像フォーカス・イフェクタが、そのような少なくとも１つの画像キャプチャ・デバイス内で、そのような生成された少なくとも１つの第１のフォーカス設定プロファイルに応答して、キャプチャされるべき被写体の撮像に適切なフォーカス状態を確立するのを支援するように構成されるように本明細書において少なくとも実施する）。
【００５８】
[0074]距離計算ユニット１６１は、距離計算ユニット１１２（図３参照）の前述したフィーチャおよび機能、ならびに図８に示されるさらなるモータ制御要素およびセンサ要素を含む。この実施形態のサーボモータ１６３は、図示されるとおり、少なくとも１つのデジタル・モータ・コントローラ１６６を介して通信するプロセッサ１２６によって制御されるステッピング・モータを備える。本開示において、モータ・コントローラ１６６は、サーボモータ１６３を操作するのに要求されるインデクサ、ドライバなどを備えることが可能である。距離データは、距離計算ユニット１６１によって、サーボモータ１６３を操作するのに使用される制御信号に変換される。このシステムの実施形態において、プロセッサ１２６からの制御信号は、モータ・コントローラ１６６を介して通信されて、信号リンク１７１を介してサーボモータ１６３に渡される（そのような少なくとも１つの画像キャプチャ・デバイスのフォーカス状態を制御する少なくとも１つの画像フォーカス・イフェクタに計算された距離を通信するように構造化され、構成された少なくとも１つの距離データ・コミュニケータを本明細書において少なくとも実施する）。
【００５９】
[0075]手動フォーカス検出器１７４が、レンズ・フォーカス、または（備えられている場合）フォロー・フォーカスのドライブ・ギア１０９の手動操作が、システムによって検出されて、システムの自動フォーカス機能の一時的終了をもたらすように機能する。実施形態において、手動フォーカス検出器１７４は、少なくとも１つのひずみゲージ・センサを含む。ひずみゲージ・センサは、変化する量の圧力に比例する出力信号を有する。サーボ駆動のフォーカス支援デバイス１６０は、ひずみゲージ・センサの出力信号が事前設定されたレベルを超えた場合、サーボモータ１６３の動作をオーバライドする制御ロジックを含む（そのようなフォーカス状態の手動調整を可能にするように構成された少なくとも１つの手動で操作されるフォーカス・コントロール、手動調整入力を検出するように構造化され、構成された少なくとも１つの手動操作検出器、およびそのような少なくとも１つの手動で操作されるフォーカス・コントロールの少なくとも１つの手動操作が検出されると、そのような少なくとも１つのサーボモータ駆動のフォロー・フォーカス・デバイスの自動動作をオーバライドする少なくとも１つのサーボモータ・オーバライドを本明細書において少なくとも実施する）。
【００６０】
[0076]距離計算ユニット１６１とサーボモータ１６３はともに筐体１６８内に配置される。筐体１６８は、図７に示されるとおり、カメラ１０３に隣接する位置に筐体１６８を取り付けるように構成された少なくとも１つのマウント１３３を備える。図６の実施形態において、マウント１３３は、例えば、図１の破線描写によって示される１５ミリメートル（ｍｍ）マット・ボックス・サポート・ロッドなどの、３つの一般的に使用されるカメラ・レール・システム１１１のうちの少なくとも１つと適合する。
【００６１】
[0077]筐体１６８の外側は、図示されるとおり、ユーザ・インターフェース１２４をサポートするように構成される。サーボ駆動のフォーカス支援デバイス１６０のユーザ・インターフェース１２４は、オン／オフ・スイッチ１５０と、同期ボタン１５２と、距離ディスプレイ１１４と、追跡確認ライト１５４とを備える。同期ボタン１５２は、作動させられると、ブロードキャスト範囲内ですべてのロケータ・タグ１１６の探索を開始する。追跡確認ライト１５４の緑色の照明が、少なくとも１つのロケータ・タグ１１６が追跡されていることを示す。
【００６２】
[0078]図６を参照すると、距離ディスプレイ１１４が、カメラからロケータ・タグ１１６までの計算された距離を示し、フォーカス設定獲得構成要素１５０を備えている場合、カメラ・レンズ１０５のフォーカス・リングの現在の距離設定も示す。さらに、サーボ駆動のフォーカス支援デバイス１６０のユーザ・インターフェース１２４が、操作者が、システムの自動機能をオーバライドすることによって手動フォーカスに戻ることを可能にする手動オーバライド・スイッチ１７２を含む。
【００６３】
[0079]距離計算ユニット１６１とサーボモータ１６３はともに、搭載されたバッテリ（図示せず）によって電力を供給される。さらに、サーボ駆動のフォーカス支援デバイス１６０が、図示されるとおり、外部電源ポートおよび有線制御入力ポート１７５を含む。
【００６４】
[0080]代替として、サーボモータ１６３は、後段で説明されるとおり、距離計算ユニット１６１がカメラ・レンズ１０５内に配置されて、カメラ・レンズ１０５内に配置されてもよく、代替として、カメラ１０３の本体内に配置されてもよく、または代替として、ポータブル・コンピューティング・デバイスに配置されてもよい。インレンズ実施形態は、カメラ・レンズ１０５の操作、またはカメラ・レンズ１０５のフォーカス・リングの操作によってレンズの焦点を合わせるように構成され、カメラ・レンズ１０５、またはカメラ・レンズ１０５のフォーカス・リングは、サーボモータ１６３によって駆動される。インレンズ・サーボモータ１６３は、自動作動または手動操作に選択的に設定されるように構成される。
【００６５】
[0081]サーボ駆動のフォーカス支援デバイス１６０は、カメラ１０３の遠隔で制御される焦点合わせを可能にする。したがって、この実施形態の重要な利点は、カメラ・レンズ１０５の操作者が、プル・フォーカスを行うのにカメラ１０３の近くに位置していることをもはや要求されないことである。さらに、サーボ駆動のフォーカス支援デバイス１６０の様々な構成が、１つまたは複数の遠隔に配置された入力デバイスの使用を可能にする。例えば、本発明の実施形態が、図１に示される肩で支えられるカメラ・レール・システム１１１のハンドル１７８内に組み込まれた遠隔フィンガ・トリガ１７６を含む。フィンガ・トリガ１７６は、距離計算ユニット１６１に動作上、結合されて、カメラ１０３の単一の操作者が、２つの位置特定可能な被写体１１３の間でフォーカスを切り換えるようサーボ駆動のフォーカス支援デバイス１６０に遠隔で合図することを可能にする。この実施形態において、操作者は、距離計算ユニット１６１によって生成された２つのフォーカス設定プロファイルの間で遷移を開始する。フィンガ・トリガ１７６の操作は、被写体「Ａ」に関するフォーカス設定プロファイルと被写体「Ｂ」に関するフォーカス設定プロファイルの間のプロセッサによって制御された遷移を開始することが可能である。この場合も、フォーカス設定プロファイルは、現在の被写体位置データ、および現在のカメラ位置データを使用して位置特定可能な被写体１１３に関して距離計算ユニット１６１によって生成されることに留意されたい。本明細書を読むと、適切な状況下で、設計選好、ユーザ選好、マーケティング選好、費用、技術的進歩などの問題を考慮して、例えば、カメラ・パン／傾きの自動制御を含む被写体追跡などの他の制御構成でも十分であり得ることが当業者には理解されよう。
【００６６】
[0082]このシステムの実施形態が、図９においてさらに説明されるとおり、少なくとも１つの遠隔ビデオ監視−制御デバイスを実装し、ユーザ・インターフェース１２４は、ハンドヘルド・ポータブル・デバイス内に配置されたタッチスクリーン・ディスプレイを備える。そのようなポータブル・デバイスは、カメラ・アシスタント・チームのメンバが、遠隔位置からカメラ・レンズ１０５を制御することを可能にする。このことは、プル・フォーカスを行う人が、必要とされる場合、カメラ１０３から離れて立つことを可能にする。
【００６７】
[0083]図９は、開示される主題の実施形態による、ポータブル・ユーザ・インターフェース１８０によって遠隔で制御されるサーボ駆動のフォーカス支援デバイス１６０を備えるように変形されたカメラ１０３を図示する透視図を示す。ポータブル・ユーザ・インターフェース１８０が、図示されるとおり、ユーザ・インターフェース１２４を包含するハンドヘルド・デバイスを備える。このシステムの実施形態において、ユーザ・インターフェース１２４は、ユーザが、単純なジェスチャまたはマルチタッチ・ジェスチャを介して制御することができるタッチセンシティブ・ディスプレイ画面１８８を備える。ポータブル・ユーザ・インターフェース１８０は、図示されるとおり、タッチセンシティブ・ディスプレイ画面１８８をサポートする耐久性のある外側筐体１８１を備える。さらに、外側筐体１８１は、電源入力ポート１８４と、バッテリ・ストレージ（図示せず）と、周辺ハンドグリップ１８６と、サーボ駆動のフォーカス支援デバイス１６０に対する配線接続を可能にする通信ポート１９０とを包含する。ポータブル・ユーザ・インターフェース１８０の実施形態が、図示されるとおり、ポータブル・ユーザ・インターフェース１８０とサーボ駆動のフォーカス支援デバイス１６０の間のワイヤレス通信を可能にするように構成される、少なくとも１つのワイヤレス・コミュニケータ１９２を備える。
【００６８】
[0084]外側ハウジング１８１は、ポータブル・ユーザ・インターフェース１８０が従来のカメラ支持材(camera rigging)に取り付けられることを可能にする少なくとも１つのマウント１８７を備える。あるバージョンのマウント１８７は、ポータブル・ユーザ・インターフェース１８０がカメラ・レール・システム１１１に取り付けられることを可能にする。
【００６９】
[0085]図３のブロック図を再び参照すると、図示されるとおり、距離計算ユニット１６１が、少なくとも１つの実行可能なプログラム１９４を備える。プログラム１９４は、システム・メモリ１２７の中に記憶され、プロセッサ１２６によって実行されるように構成される。プログラム１９４は、図１０に示されるとおり、タッチセンシティブ・ディスプレイ画面上に一連のメニュー１９６を表示するための命令を備える。
【００７０】
[0086]図１０は、本明細書で開示される主題の別の実施形態によるポータブル・ユーザ・インターフェース１８０を示す正面図である。タッチセンシティブ・ディスプレイ画面１８８が、システム・メニューのセット１９６を生成するのに使用される。各メニュー１９６は、図示されるとおり、少なくとも１つのメニュー項目１９８を備える。メニュー項目１９８は、情報を与える性質のものであるか、またはシステム装置によって実行されるべきアクションに対応する少なくとも１つのユーザ入力を受け取るように機能する。メニュー項目１９８は、後段で説明されるとおり、ユーザが、レンズ情報を入力または選択すること、被写体の名前をカスタマイズすること、被写体から被写体にフォーカスを切り換えること、焦点を合わせる速度を選択すること、レンズ設定を保存すること、およびレンズを自動的にキャリブレーションすることを可能にする。
【００７１】
[0087]ポータブル・ユーザ・インターフェース１８０が起動されると、プログラム１９４が、タッチセンシティブ・ディスプレイ画面１８８上に主要メニュー１９６を表示するように構成される。主要メニュー１９６は、以下の選択可能なメニュー項目１９８、すなわち、「距離」メニュー項目２００、「キャリブレーション」メニュー項目２０２、「同期」メニュー項目２０４、「被写体フォーカス切換え」メニュー項目２０６、および「オプション」メニュー項目２０８を含む。主要メニュー１９６のそれぞれの選択可能なメニュー項目１９８は、図１１乃至図に全体的に示されるとおり、プログラム１９４によって操作されるサブメニューに対するユーザ選択可能なリンクを与える。さらに、プログラム１９４は、図示されるとおり、バッテリ・ステータス・インジケータ２１０を表示する。
【００７２】
[0088]主要メニュー１９６内の「距離」メニュー項目２００のユーザ選択は、図１１に示されるとおり、タッチ・ディスプレイ画面１８８上に焦点距離表示メニュー２１２の表示をもたらす。図１１は、焦点距離表示メニュー２１２を表示する、図９のポータブル・ユーザ・インターフェースを例示する正面図を示す。
【００７３】
[0089]焦点距離表示メニュー２１２は、カメラ１０３からのライブのビデオ・フィードを表示するビデオ・ウインドウ２１４（そのような少なくとも１つの画像キャプチャ・デバイスによってキャプチャされた少なくとも１つの現在の画像を表示するように構成された少なくとも１つの現在の画像ウインドウを本明細書において少なくとも実施する）と、カメラ１０３からロケータ・タグ１１６までの計算された距離を示す距離ディスプレイ１１４とを含む。さらに、焦点距離表示メニュー２１２は、カメラ・レンズ１０５のフォーカス・リングの現在の距離設定を示すレンズ設定表示２１６を備える。プログラム１９４は、レンズ設定表示２１６の内容を生成するようにフォーカス設定獲得構成要素１５０と相互動作することに留意されたい。
【００７４】
[0090]主要メニュー１９６内の「キャリブレーション」メニュー項目２０２のユーザ選択は、図１２に示される、タッチ・ディスプレイ画面１８８上にキャリブレーション・メニュー２１８の表示をもたらす。図１２は、開示される主題の実施形態による、キャリブレーション・メニュー２１８を表示する図９のポータブル・ユーザ・インターフェースを例示する正面図を示す。キャリブレーション・メニュー２１８は、図示されるとおり、「自動レンズ・キャリブレーション」メニュー項目２２０と、「レンズ長」メニュー項目２２２と、「Ｆストップ」メニュー項目２２４と、「フォーカス・リング距離ポイント設定」メニュー項目２２６と、「ズーム・レンズ長」キャリブレーション・メニュー項目２２８と、「キャリブレーション保存」メニュー項目２３０とを含む。
【００７５】
[0091]「レンズ長入力」メニュー項目２２２は、カメラ・レンズ１０５の被写界深度／焦点範囲を計算するのに使用される。「Ｆストップ」メニュー項目２２４は、カメラ・レンズ１０５の被写界深度／焦点距離を計算するのに使用される。
【００７６】
[0092]さらに、キャリブレーション・メニュー２１８は、「保存されたキャリブレーション」メニュー項目２３２と、保存されたキャリブレーション・リスト２３４と、「キャリブレーション選択」メニュー項目２３６とを含む。
【００７７】
[0093]「保存されたキャリブレーション」メニュー項目２３２は、システム・メモリ１２７においてＦストップ、フォーカス・リング設定、およびレンズ長設定を設定するのに使用される。このことは、既にキャリブレーションされたレンズに関する構成が、将来、容易に設定されることを可能にし、したがって、カメラ・レンズ１０５が交換されるにつれ、再キャリブレーションを行う必要性が低減される。保存されたキャリブレーション・リスト２３４は、保存されたキャリブレーションのリストを示す。保存されたキャリブレーションは、ユーザによって編集可能である（そのような少なくとも１つの画像キャプチャ・デバイスの少なくとも１つのハードウェア構成の手動入力を可能にする少なくとも１つのユーザ選択可能なメニュー項目を本明細書において少なくとも実施する）。
【００７８】
[0094]プログラム１９４は、距離計算ユニット１６１が位置特定可能な被写体１３３を自動的に探し求めるようにする命令をさらに備える（そのような少なくとも１つのプログラムが、そのような少なくとも１つの距離計算器が位置特定可能な被写体を自動的に探し求めるようにする命令をさらに備えるように本明細書において少なくとも実施する）。主要メニュー１９６内の「同期」メニュー項目２０４のユーザ選択は、図１３に示されるとおり、タッチ・ディスプレイ画面１８８上にタグ同期メニュー２４０の表示をもたらす。図１３は、開示される主題の別の実施形態による、タグ同期メニュー２４０を表示するポータブル・ユーザ・インターフェース１８０を例示する正面図を示す。
【００７９】
[0095]タグ同期メニュー２４０は、ユーザが、デバイスの検出範囲内で位置特定可能な被写体１１３の自動探索を開始させることを可能にする。「ビーコン検出」メニュー項目２４２は、選択されると、システムがすべての読取り可能なロケータ・タグ１１６を探索することをもたらし、検出されたすべてのロケータ・タグ１１６を「被写体」としてリストアップする。
【００８０】
[0096]プログラム１９４は、各データ・エントリが、システムの検出範囲内で複数の位置特定可能な被写体１１３のうちの単一の位置特定可能な被写体１１３を識別するマルチ被写体データ・セット２０５を生成するように構成される。被写体位置プロファイルは、ロケータ・タグ１１６から受信された位置データを使用してプログラム１９４によって能動的に生成される（そのような少なくとも１つのマルチ被写体データ・セットのそれぞれのそのようなデータ・エントリに関して少なくとも１つのフォーカス設定プロファイルを生成するように構造化され、構成された少なくとも１つの被写体プロファイル・ジェネレータを本明細書において少なくとも実施する）。マルチ被写体データ・セット２０５、および関連する被写体位置プロファイルは、システム・メモリ１２７の中に記憶される。
【００８１】
[0097]タグ同期メニュー２４０は、マルチ被写体データ・セット２０５の潜在的に「焦点が合う」位置特定可能な被写体１１３（タグ付けされた被写体）をリストアップする表示フィールド２４４を含む。デフォルトで、最初の２つの位置特定された位置特定可能な被写体１１３が、「Ｓｕｂｊｅｃｔ＿Ａ」および「Ｓｕｂｊｅｃｔ＿Ｂ」としてリストアップされる。それぞれのさらなる位置特定された被写体に、図示されるとおり、次の利用可能な識別文字が割り当てられる（そのような少なくとも１つのユーザ・インターフェースが、そのような第１の位置データ、そのような第２の位置データ、およびその他の位置データのうちの少なくとも１つのユーザ主導の獲得を可能にする少なくとも１つのユーザ選択可能なメニュー項目をさらに備えるように本明細書において少なくとも実施する）。
【００８２】
[0098]ユーザは、表示されたロケータ・タグ１１６のデフォルトの文字指定を選択すること、および「ビーコン名編集」メニュー項目２４６を押すことによってロケータ・タグ１１６に割り当てられたデフォルトの文字名を編集することができる。選択されたロケータ・タグ１１６は、青などの色でハイライトされて、そのエントリが編集に利用できることが示される。次に、ユーザは、位置特定された被写体を「Ｓｕｂｊｅｃｔ＿Ａ」として示す代わりに、ディスプレイ・エントリが、「Ｍａｌｅ＿Ａｃｔｏｒ」、「Ｊｏｈｎ＿Ｓｍｉｔｈ」、「Ｒｅｄ＿Ａｐｐｌｅ」などと読み取られるように名前を変更することが可能である。「ビーコン名編集」メニュー項目２４６が選択されると、プログラム１９４は、編集を容易にするためにキーボード・インターフェースを提示する。
【００８３】
[0099]また、表示フィールド２４４は、カメラ１０３に対するすべてのロケータ・タグ１１６の距離、およびすべてのロケータ・タグ１１６のバッテリ電力も示す。２５％未満のバッテリ電力を有することが検出されたロケータ・タグ１１６は、赤などの警報色でハイライトされる。
【００８４】
[00100]主要メニュー１９６内の「被写体フォーカス切換え」メニュー項目２０６のユーザ選択は、図１４に示されるとおり、タッチ・ディスプレイ画面１８８上に被写体フォーカス切換えメニュー２５０の表示をもたらす。図１４は、開示される主題の実施形態による、被写体フォーカス切換えメニュー２５０を表示する、図９のポータブル・ユーザ・インターフェースを例示する正面図を示す。
【００８５】
[00101]被写体フォーカス切換えメニュー２５０は、図示されるとおり、「ラック・フォーカス(rack focus)」メニュー項目２５２と、デジタル・フォーカス速度スライダ２５４と、ビデオ・ウインドウ２１４と、距離表示１１４と、レンズ設定表示２１６と、「ラック・フォーカス速度設定」メニュー項目２５６と、被写体リスト・ウインドウ２５８とを備える。
【００８６】
[00102]被写体リスト・ウインドウ２５８は、現在のマルチ被写体データ・セット２０５から２つ以上の焦点の合う可能性がある「タグ付けされた被写体」のリストを表示する。デフォルトで、システムによって位置特定された最初の２つの「タグ付けされた被写体」は、「Ｓｕｂｊｅｃｔ＿Ａ」および「Ｓｕｂｊｅｃｔ＿Ｂ」としてリストアップされる。ユーザは、被写体リスト・ウインドウ２５８内にリストアップされる被写体のタッチスクリーン選択によって、いずれの「タグ付けされた被写体」に焦点が合わされるかを選択することができる（そのような少なくとも１つのマルチ被写体データ・セットの少なくとも１つのそのようなデータ・エントリをユーザが選択することを可能にするように構造化され、構成された少なくとも１つの位置特定可能な被写体セレクタを本明細書において少なくとも実施する）。
【００８７】
[00103]デフォルトで、システムによって活性化され、検出される第１のビーコンは、「Ｓｕｂｊｅｃｔ＿Ａ」として示され、焦点が合う。「焦点が合った」被写体は、タッチ・ディスプレイ画面１８８において、緑のバックライトによって現在の「焦点の合った」被写体として識別される。
【００８８】
[00104]その後、ユーザは、例えば、被写体リスト・ウインドウ２５８において「Ｓｕｂｊｅｃｔ＿Ｂ」に関連付けられたメニュー項目に触れることによって、焦点が合わされるべき次の被写体を選択することができる。このシステムの実施形態において、プログラム１９４は、ユーザによる選択が行われると「Ｓｕｂｊｅｃｔ＿Ｂ」にフォーカスを即時に移すのではなく、システムが「Ｓｕｂｊｅｃｔ＿Ｂ」に「次の番」ステータスを割り当てる。この「次の番」指定は、被写体が選択されて、システムが「焦点を合わせる」次の被写体となる準備ができていることを示す。「次の番」被写体は、被写体リスト・ウインドウ２５８内の赤のバックライトによって識別される。
【００８９】
[00105]ユーザが、「次の番」となるべき被写体を選択し、タッチ・ディスプレイ画面１８８が、赤のバックライトによって「次の番」被写体のステータスを示した後、ユーザは、「ラック・フォーカス」メニュー項目２５２に触れることによって、現在の「焦点の合った」被写体と「次の番」被写体の間の遷移を作動させることができる。次に、プログラム１９４が、「Ｓｕｂｊｅｃｔ＿Ｂ」に関する現在の被写体位置プロファイルを使用して、カメラ・フォーカスを「Ｓｕｂｊｅｃｔ＿Ａ」から「Ｓｕｂｊｅｃｔ＿Ｂ」に移すようシステムに合図する（そのような少なくとも１つの第１の位置特定可能な被写体に関して生成された少なくとも１つの第１のフォーカス設定プロファイルと、そのような少なくとも１つの他の位置特定可能な被写体に関して生成されたそのような少なくとも１つの他のフォーカス設定プロファイルの間でそのような少なくとも１つの画像キャプチャ・デバイスのそのようなフォーカス状態を遷移させるように構造化され、構成された少なくとも１つの被写体フォーカス・トランジショナを本明細書において少なくとも実施する）。遷移のレートは、「ラック・フォーカス速度設定」メニュー項目２５６またはデジタル・フォーカス速度スライダ２５４によって制御される。両方のメニュー項目は、２つの「タグ付けされた被写体」のフォーカスの間でプログラムが切り換わるレートを制御する。「ラック・フォーカス速度設定」メニュー項目２５６は、「低速の」遷移、「中速の」遷移、および「高速の」遷移の一般化された選択を可能にする。デジタル・フォーカス速度スライダ２５４は、ラック・フォーカス・プロセスの速度の手動制御を可能にするように構成される（そのような少なくとも１つの被写体フォーカス・トランジショナが、そのようなフォーカス状態のそのような遷移の変化のレートをユーザが制御することを可能にするように構造化され、構成された少なくとも１つのユーザ遷移コントロールを備えるように本明細書において少なくとも実施する）。
【００９０】
[00106]このシステムの実施形態において、「Ｓｕｂｊｅｃｔ＿Ａ」と「Ｓｕｂｊｅｃｔ＿Ｂ」の間で切り換える能力は、ハンドル１７８内に組み込まれた遠隔フィンガ・トリガ１７６（図１参照）によっても利用可能である。
【００９１】
[00107]さらに、低バッテリ・アイコンが被写体リスト・ウインドウ２５８において与えられ、ロケータ・タグ１１６のバッテリ電力が低下している場合、明滅する。「Ｓｕｂｊｅｃｔ＿Ｅ」が、低バッテリ・アイコンが点灯した状態で示される。
【００９２】
[00108]主要メニュー１９６内の「オプション」メニュー項目２０８のユーザ選択は、図１５に示されるとおり、「オプション」メニュー２６０タッチ・ディスプレイ画面１８８の表示をもたらす。図１５は、開示される主題の別の実施形態による、「オプション」メニュー２６０を表示するポータブル・ユーザ・インターフェース１８０を例示する正面図を示す。
【００９３】
[00109]「オプション」メニュー２６０内のメニュー項目は、ユーザがメニュー内のオプションを変更することを可能にする。例えば、オプションは、表示される言語の選択、表示の明るさをユーザが設定することを可能にすること、夜間表示色設定をユーザが選択することを可能にすること、ビーコン名の編集をユーザが防止することを可能にすることなどを含む。
【００９４】
[00110]さらに、「オプション」メニュー２６０内のメニュー項目２６２は、ユーザが被写体フォーカス切換えメニュー２５０から「ラック・フォーカス」メニュー項目２５２を除去することを可能にする。このことは、被写体リスト・ウインドウ２５８内で被写体が選択されるとすぐに、新たな被写体にフォーカスが即時に移ることをもたらす（図１４も参照）。「オプション」メニュー２６０内のメニュー項目２６４は、焦点が合わされた最後の被写体が、焦点の合った最後の被写体が自動的に「次の番」であるように自動的に保つことをもたらす。
【００９５】
[00111]「オプション」メニュー２６０内の他のメニュー項目は、左利きのユーザのためにタッチ・ディスプレイ画面１８８の編成を変更する能力、カメラ１０３からのモニタ・フィードがどのように表示されるかを定義するフィード・オプションを監視し、変更する能力、およびインターフェースにおいて使用される言語を選択する能力を含む。本明細書を読むと、適切な状況下で、設計選好、ユーザ選好、マーケティング選好、費用、技術的進歩などの問題を考慮して、例えば、ヤード・ポンド法の単位とメートル法の単位の間で測定を変更すること、特定のユーザのために設定を記憶し、取り出す能力を有することなどの他のオプションでも十分であり得ることが当業者には理解されよう。
【００９６】
[00112]図１６は、開示される主題の実施形態による、中央位置から複数のカメラ１０３を制御するように構成されたマスタ・コントローラ３００を概略で例示する図を示す。マスタ・コントローラ３００は、サーボ駆動のフォーカス支援デバイス１６０を備えた２つ以上のカメラ１０３のワイヤレス制御をもたらすように構成される。マスタ・コントローラ３００（そのようなシステム内で動作する複数の画像キャプチャ・デバイスを制御するように構造化され、構成された少なくとも１つのシステム・コントローラを本明細書において少なくとも実施する）は、単一のユーザが、ポータブル・ユーザ・インターフェース１８０の前述したメニュー１９６において被写体を選択することと類似した様態で複数のカメラをコントロールすることを可能にする。より詳細には、マスタ・コントローラ３００は、タッチ・ディスプレイ画面１８８と、デバイスの制御下の選択可能なカメラ１０３をリストアップするメニュー３０２とを備える。選択されると、カメラは、「次の番」となり、選択されたカメラ名が緑色によって背面照光される。次に、ユーザが、「今、制御する」メニュー項目３０４を押すことによって選択されたカメラに切り換えることができる。あるカメラがユーザの制御下にある場合、そのカメラは、赤によって背面照射される。複数のカメラ１０３が同時に制御されて、複数のカメラ１０３が同一の被写体にすべて同時に焦点を合わせることができるようにすることも可能である。このことは、１名のユーザがいくつかのカメラ１０３に関して焦点合わせを行うことができることを可能にする。カメラが選択されると、システム・プログラムは、前述したポータブル・ユーザ・インターフェース１８０において実施される制御メニューと類似した制御メニューを表示することが可能である。
【００９７】
[00113]ポータブル・ユーザ・インターフェース１８０およびマスタ・コントローラ３００の開示される実施形態は、例えば、北米のアップル社によって製造されるｉＰａｄ（登録商標）タブレットなどのポータブル・コンピューティング・デバイスを使用して実施されることに留意されたい。実施形態において、プロセッサ１２６、メモリ１２７、およびユーザ・インターフェース１２４は、タブレット・デバイスの構成要素であり、タブレット・デバイス内で実行される１つまたは複数のアプリケーション・プログラム１９４と相互動作する。
【００９８】
[00114]本明細書に包含される教示を参照すると、カメラ・フォーカス・システム１００が、少なくとも１つのカメラ１０３のために、キャプチャされるべき１つまたは複数の位置特定可能な被写体１１３に関連付けられたフォーカス設定データであって、カメラ１０３のフォーカス状態を制御するのに使用可能であるフォーカス設定データを生成することと関係する方法を備える。それに関して、カメラ・フォーカス・システム１００の方法は、ロケータ・タグ１１６に関連付けられたタグ付けされた被写体の現在の位置に関連付けられた第１の位置データを生成するように構造化され、構成された少なくとも１つのロケータ・タグ１１６を提供するステップと、カメラ１０３の現在の位置に関連付けられた第２の位置データを生成するように構造化され、構成された少なくとも１つのカメラ・ロケータ１２０を提供するステップと、少なくとも１つのコンピューティング・デバイス（すなわち、距離計算ユニット１１２、または距離計算ユニット１６１、またはポータブル・ユーザ・インターフェース１８０、またはマスタ・コントローラ３００）であって、位置特定可能な被写体１１３とカメラ１０３のイメージャ・フォーカス・ポイント１２２の間の現在の距離を計算するように構造化され、構成されたコンピューティング・デバイスを提供するステップと、そのような第１の位置データ、およびそのような第２の位置データを使用してそのような現在の距離を生成するステップと、計算された現在の距離を表示するように構成された少なくとも１つの距離ディスプレイ１１４を提供するステップと、カメラ１０３内で、キャプチャされるべき被写体の撮像に適切なフォーカス状態を確立するのを支援するようにカメラ・レンズ１０５の少なくとも１つのフォーカス・リングを操作するように構造化され、構成された少なくとも１つのフォロー・フォーカス・デバイス（すなわち、フォーカス支援デバイス１０２またはサーボ駆動のフォーカス支援デバイス１６０）を提供するステップとを含む。さらに、前述の方法は、表示された計算された現在の距離に応答して、カメラ・レンズ１０５のそのようなフォーカス・リングを操作することをさらに備え、そのようなロケータ・タグは、そのような第１の位置データをワイヤレスで通信するように構造化され、構成された少なくとも１つの第１のワイヤレス・コミュニケータを備える。
【００９９】
[00115]出願者は、開示される主題の出願者による実施形態を説明してきたが、この主題の最も広い範囲は、様々な形状、サイズ、材料などの変形を含むことが理解されよう。
【図１】
0006445581.tif 000002
【図２】
0006445581.tif 000003
【図３】
0006445581.tif 000004
【図４】
0006445581.tif 000005
【図５】
0006445581.tif 000006
【図６】
0006445581.tif 000007
【図７】
0006445581.tif 000008
【図８】
0006445581.tif 000009
【図９】
0006445581.tif 000010
【図１０】
0006445581.tif 000011
【図１１】
0006445581.tif 000012
【図１２】
0006445581.tif 000013
【図１３】
0006445581.tif 000014
【図１４】
0006445581.tif 000015
【図１５】
0006445581.tif 000016
【図１６】
0006445581.tif 000017